(57)【特許請求の範囲】
【請求項１】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムであって、
前記発券装置は、
前記航空券特定番号が指定された場合に、前記決済サーバに対して、当該航空券特定番号を含む問い合わせ要求を送信する問い合わせ要求送信手段を備え、
前記決済サーバは、
前記予約販売情報受付装置から、前記予約販売にかかる航空券の航空券特定番号および当該航空券の予約販売に用いられたカードのカード番号に関する情報を取得する予約販売情報取得手段と、
前記予約販売情報取得手段によって取得されたカード番号に対応する一時カード番号を生成する一時カード番号生成手段と、
前記一時カード番号生成手段によって生成された一時カード番号と前記予約販売情報取得手段によって取得された航空券特定番号とを関連付けて記憶する一時カード番号記憶手段と、
前記発券装置から送信された問い合わせ要求を受信した場合に、前記一時カード番号記憶手段によって記憶された情報の中から、該当する航空券特定番号に関連付けられた一時カード番号を抽出する一時カード番号抽出手段と、
前記一時カード番号抽出手段によって抽出された一時カード番号を、前記問い合わせ要求の送信元となる発券装置に対して送信する一時カード番号送信手段と、を備え、
前記発券装置は、
前記決済サーバから送信された一時カード番号を受信した場合に、当該一時カード番号が記録された航空券を発券する航空券発券手段を備え、
前記決済サーバは、
前記決済端末から一時カード番号を含む決済要求を受信した場合に、前記一時カード番号送信手段によって当該一時カード番号が送信された後に、当該一時カード番号に対応するカード番号にかかる決済要求を受信したか否かを判断する有効性判断手段と、
前記有効性判断手段によって前記一時カード番号に対応するカード番号にかかる決済要求を受信していないと判断された場合に、前記一時カード番号記憶手段によって記憶された情報の中から、受信された決済要求に含まれる一時カード番号に関連付けられたカード番号を抽出し、抽出されたカード番号に基づいて決済処理をおこなう決済処理手段と、
を備えたことを特徴とするカード利用支援システム。
【請求項２】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムであって、
前記発券装置は、
前記航空券特定番号が指定された場合に、前記決済サーバに対して、当該航空券特定番号を含む問い合わせ要求を送信する問い合わせ要求送信手段を備え、
前記決済サーバは、
前記予約販売情報受付装置から、前記予約販売にかかる航空券の航空券特定番号および当該航空券の予約販売に用いられたカードのカード番号に関する情報を取得する予約販売情報取得手段と、
前記予約販売情報取得手段によって取得されたカード番号に対応する一時カード番号を生成する一時カード番号生成手段と、
前記一時カード番号生成手段によって生成された一時カード番号と前記予約販売情報取得手段によって取得された航空券特定番号とを関連付けて記憶する一時カード番号記憶手段と、
前記発券装置から送信された問い合わせ要求を受信した場合に、前記一時カード番号記憶手段によって記憶された情報の中から、該当する航空券特定番号に関連付けられた一時カード番号を抽出する一時カード番号抽出手段と、
前記一時カード番号抽出手段によって抽出された一時カード番号を、前記問い合わせ要求の送信元となる発券装置に対して送信する一時カード番号送信手段と、を備え、
前記発券装置は、
前記決済サーバから送信された一時カード番号を受信した場合に、当該一時カード番号が記録された航空券を発券する航空券発券手段を備え、
前記決済サーバは、
前記決済端末から一時カード番号を含む決済要求を受信した場合に、前記一時カード番号送信手段によって当該一時カード番号が送信された後に、当該一時カード番号に対応するカード番号に対応する新たな一時カード番号が送信されたか否かを判断する有効性判断手段と、
前記有効性判断手段によって新たな一時カード番号が送信されていないと判断された場合に、前記一時カード番号記憶手段によって記憶された情報の中から、受信された決済要求に含まれる一時カード番号に関連付けられたカード番号を抽出し、抽出されたカード番号に基づいて決済処理をおこなう決済処理手段と、
を備えたことを特徴とするカード利用支援システム。
【請求項３】
前記予約販売情報取得手段は、前記予約販売にかかる航空券の有効期間および当該航空券の予約販売に用いられたカードの有効期限に関する情報を取得し、
前記決済サーバは、
前記予約販売情報取得手段によって取得された情報に基づいて、前記航空券の有効期間が前記カードの有効期限内であるか否かを判断する期限判断手段を備え、
前記一時カード番号生成手段は、
前記期限判断手段によって有効期限内であると判断された場合に、一時カード番号を生成することを特徴とする請求項１または２に記載のカード利用支援システム。
【請求項４】
前記決済サーバは、
前記決済端末から一時カード番号を含む決済要求を受信した場合に、当該一時カード番号に対応するカード番号のカードの利用者の所在地に関する情報を取得する所在地情報取得手段と、
前記所在地情報取得手段によって取得された情報に基づいて、配送先に関する情報を出力する配送先情報出力手段と、
を備えたことを特徴とする請求項１〜３のいずれか一つに記載のカード利用支援システム。
【請求項５】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援方法であって、
前記発券装置が、問い合わせ要求送信手段を備え、
前記問い合わせ要求送信手段が、前記航空券特定番号が指定された場合に、前記決済サーバに対して、当該航空券特定番号を含む問い合わせ要求を送信する問い合わせ要求送信工程を含み、
前記決済サーバが、予約販売情報取得手段と、一時カード番号生成手段と、一時カード番号記憶手段と、一時カード番号抽出手段と、一時カード番号送信手段と、を備え、
前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、
前記一時カード番号生成手段が、前記予約販売情報取得工程によって取得されたカード番号に対応する一時カード番号を生成する一時カード番号生成工程と、
前記一時カード番号記憶手段が、前記一時カード番号生成工程によって生成された一時カード番号と前記予約販売情報取得工程によって取得された航空券特定番号とを関連付けて記憶する一時カード番号記憶工程と、
前記一時カード番号抽出手段が、前記発券装置から送信された問い合わせ要求を受信した場合に、前記一時カード番号記憶工程によって記憶された情報の中から、該当する航空券特定番号に関連付けられた一時カード番号を抽出する一時カード番号抽出工程と、
前記一時カード番号送信手段が、前記一時カード番号抽出工程によって抽出された一時カード番号を、前記問い合わせ要求の送信元となる発券装置に対して送信する一時カード番号送信工程と、を含み、
前記発券装置が、航空券発券手段を備え、
前記航空券発券手段が、前記決済サーバから送信された一時カード番号を受信した場合に、当該一時カード番号が記録された航空券を発券する航空券発券工程を含み、
前記決済サーバが、有効性判断手段と、決済処理手段と、を備え、
前記有効性判断手段が、前記決済端末から一時カード番号を含む決済要求を受信した場合に、前記一時カード番号送信工程によって当該一時カード番号が送信された後に、当該一時カード番号に対応するカード番号にかかる決済要求を受信したか否かを判断する有効性判断工程と、
前記決済処理手段が、前記有効性判断工程によって前記一時カード番号に対応するカード番号にかかる決済要求を受信していないと判断された場合に、前記一時カード番号記憶工程によって記憶された情報の中から、受信された決済要求に含まれる一時カード番号に関連付けられたカード番号を抽出し、抽出されたカード番号に基づいて決済処理をおこなう決済処理工程と、
を含んだことを特徴とするカード利用支援方法。
【請求項６】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援方法であって、
前記発券装置が、問い合わせ要求送信手段を備え、
前記問い合わせ要求送信手段が、前記航空券特定番号が指定された場合に、前記決済サーバに対して、当該航空券特定番号を含む問い合わせ要求を送信する問い合わせ要求送信工程を含み、
前記決済サーバが、予約販売情報取得手段と、一時カード番号生成手段と、一時カード番号記憶手段と、一時カード番号抽出手段と、一時カード番号送信手段と、を備え、
前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、
前記一時カード番号生成手段が、前記予約販売情報取得工程によって取得されたカード番号に対応する一時カード番号を生成する一時カード番号生成工程と、
前記一時カード番号記憶手段が、前記一時カード番号生成工程によって生成された一時カード番号と前記予約販売情報取得工程によって取得された航空券特定番号とを関連付けて記憶する一時カード番号記憶工程と、
前記一時カード番号抽出手段が、前記発券装置から送信された問い合わせ要求を受信した場合に、前記一時カード番号記憶工程によって記憶された情報の中から、該当する航空券特定番号に関連付けられた一時カード番号を抽出する一時カード番号抽出工程と、
前記一時カード番号送信手段が、前記一時カード番号抽出工程によって抽出された一時カード番号を、前記問い合わせ要求の送信元となる発券装置に対して送信する一時カード番号送信工程と、を含み、
前記発券装置が、航空券発券手段を備え、
前記航空券発券手段が、前記決済サーバから送信された一時カード番号を受信した場合に、当該一時カード番号が記録された航空券を発券する航空券発券工程を含み、
前記決済サーバが、有効性判断手段と、決済処理手段と、を備え、
前記有効性判断手段が、前記決済端末から一時カード番号を含む決済要求を受信した場合に、前記一時カード番号送信工程によって当該一時カード番号が送信された後に、当該一時カード番号に対応するカード番号に対応する新たな一時カード番号が送信されたか否かを判断する有効性判断工程と、
前記決済処理手段が、前記有効性判断工程によって新たな一時カード番号が送信されていないと判断された場合に、前記一時カード番号記憶工程によって記憶された情報の中から、受信された決済要求に含まれる一時カード番号に関連付けられたカード番号を抽出し、抽出されたカード番号に基づいて決済処理をおこなう決済処理工程と、
を含んだことを特徴とするカード利用支援方法。
【請求項７】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援プログラムであって、
前記発券装置が、問い合わせ要求送信手段を備え、
前記問い合わせ要求送信手段が、前記航空券特定番号が指定された場合に、前記決済サーバに対して、当該航空券特定番号を含む問い合わせ要求を送信する問い合わせ要求送信工程を前記発券装置に実行させ、
前記決済サーバが、予約販売情報取得手段と、一時カード番号生成手段と、一時カード番号記憶手段と、一時カード番号抽出手段と、一時カード番号送信手段と、を備え、
前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、
前記一時カード番号生成手段が、前記予約販売情報取得工程によって取得されたカード番号に対応する一時カード番号を生成する一時カード番号生成工程と、
前記一時カード番号記憶手段が、前記一時カード番号生成工程によって生成された一時カード番号と前記予約販売情報取得工程によって取得された航空券特定番号とを関連付けて記憶する一時カード番号記憶工程と、
前記一時カード番号抽出手段が、前記発券装置から送信された問い合わせ要求を受信した場合に、前記一時カード番号記憶工程によって記憶された情報の中から、該当する航空券特定番号に関連付けられた一時カード番号を抽出する一時カード番号抽出工程と、
前記一時カード番号送信手段が、前記一時カード番号抽出工程によって抽出された一時カード番号を、前記問い合わせ要求の送信元となる発券装置に対して送信する一時カード番号送信工程と、を前記決済サーバに実行させ、
前記発券装置が、航空券発券手段を備え、
前記航空券発券手段が、前記決済サーバから送信された一時カード番号を受信した場合に、当該一時カード番号が記録された航空券を発券する航空券発券工程を前記発券装置に実行させ、
前記決済サーバが、有効性判断手段と、決済処理手段と、を備え、
前記有効性判断手段が、前記決済端末から一時カード番号を含む決済要求を受信した場合に、前記一時カード番号送信工程によって当該一時カード番号が送信された後に、当該一時カード番号に対応するカード番号にかかる決済要求を受信したか否かを判断する有効性判断工程と、
前記決済処理手段が、前記有効性判断工程によって前記一時カード番号に対応するカード番号にかかる決済要求を受信していないと判断された場合に、前記一時カード番号記憶工程によって記憶された情報の中から、受信された決済要求に含まれる一時カード番号に関連付けられたカード番号を抽出し、抽出されたカード番号に基づいて決済処理をおこなう決済処理工程と、
を前記決済サーバに実行させることを特徴とするカード利用支援プログラム。
【請求項８】
カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援プログラムであって、
前記発券装置が、問い合わせ要求送信手段を備え、
前記問い合わせ要求送信手段が、前記航空券特定番号が指定された場合に、前記決済サーバに対して、当該航空券特定番号を含む問い合わせ要求を送信する問い合わせ要求送信工程を前記発券装置に実行させ、
前記決済サーバが、予約販売情報取得手段と、一時カード番号生成手段と、一時カード番号記憶手段と、一時カード番号抽出手段と、一時カード番号送信手段と、を備え、
前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、
前記一時カード番号生成手段が、前記予約販売情報取得工程によって取得されたカード番号に対応する一時カード番号を生成する一時カード番号生成工程と、
前記一時カード番号記憶手段が、前記一時カード番号生成工程によって生成された一時カード番号と前記予約販売情報取得工程によって取得された航空券特定番号とを関連付けて記憶する一時カード番号記憶工程と、
前記一時カード番号抽出手段が、前記発券装置から送信された問い合わせ要求を受信した場合に、前記一時カード番号記憶工程によって記憶された情報の中から、該当する航空券特定番号に関連付けられた一時カード番号を抽出する一時カード番号抽出工程と、
前記一時カード番号送信手段が、前記一時カード番号抽出工程によって抽出された一時カード番号を、前記問い合わせ要求の送信元となる発券装置に対して送信する一時カード番号送信工程と、を前記決済サーバに実行させ、
前記発券装置が、航空券発券手段を備え、
前記航空券発券手段が、前記決済サーバから送信された一時カード番号を受信した場合に、当該一時カード番号が記録された航空券を発券する航空券発券工程を前記発券装置に実行させ、
前記決済サーバが、有効性判断手段と、決済処理手段と、を備え、
前記有効性判断手段が、前記決済端末から一時カード番号を含む決済要求を受信した場合に、前記一時カード番号送信工程によって当該一時カード番号が送信された後に、当該一時カード番号に対応するカード番号に対応する新たな一時カード番号が送信されたか否かを判断する有効性判断工程と、
前記決済処理手段が、前記有効性判断工程によって新たな一時カード番号が送信されていないと判断された場合に、前記一時カード番号記憶工程によって記憶された情報の中から、受信された決済要求に含まれる一時カード番号に関連付けられたカード番号を抽出し、抽出されたカード番号に基づいて決済処理をおこなう決済処理工程と、
を前記決済サーバに実行させることを特徴とするカード利用支援プログラム。
【発明の詳細な説明】
【技術分野】
【０００１】
この発明は、クレジットカードなどのカードの利用を支援するカード利用支援システム、カード利用支援方法およびカード利用支援プログラムに関する。
【背景技術】
【０００２】
従来、たとえば、海外の免税店における買い物に際して支払いをカード決済でおこなう場合は、クレジットカードなどのカードに加えて航空券の提示を求められることがあった。また、従来、たとえば、非接触型の無線通信によって情報を送受信する複数の情報端末により、旅行に関する情報、交通に関する情報、位置に関する情報、交通機関の発着場に関する情報、あるいは旅行代金の決済に関する情報の交換をおこない、設置型情報端末により、携帯型情報端末に格納された情報を基に、旅行に関する予約の設定あるいは変更をおこなって携帯型情報端末に情報を格納するとともに、所定の決済センタと情報の送受信をおこなって旅行代金の決済をおこなうことにより、携帯型情報端末を、交通機関で用いられるチケットとして用いるようにした技術があった（たとえば、下記特許文献１を参照。）。
【先行技術文献】
【特許文献】
【０００３】
【特許文献１】特開２００４−４８１９３号公報
【発明の概要】
【発明が解決しようとする課題】
【０００４】
しかしながら、上述した従来の技術は、たとえば、利用者が、クレジットカードなどのカードと航空券との両方を一緒に携帯しなくてはならず、煩わしいという問題があった。また、上述した従来の技術は、たとえば、旅行先のように不慣れな場所において所持品、特に貴重品を携帯したくない場合にも、多額の現金を持ち歩かなくてもよいという利便性を優先させるためには、利用者は、クレジットカードを紛失するかもしれないという不安を感じながらもクレジットカードを携帯しなくてはならないという問題があった。特に、治安の不安定な地域においては、クレジットカードを持ち歩くことによる不安などを感じることがあるという問題があった。また、上述した特許文献１に記載された技術は、携帯型情報端末を携帯しなくてはならず、煩わしいという問題があった。
【０００５】
この発明は、上述した従来技術による問題点を解消するため、利用者に対してカードを用いた決済による高い利便性を提供し、カードの利用促進を図ることができるカード利用支援システム、カード利用支援方法およびカード利用支援プログラムを提供することを目的とする。
【課題を解決するための手段】
【０００６】
上述した課題を解決し、目的を達成するため、この発明にかかるカード利用支援システムは、カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムであって、前記発券装置が、前記航空券特定番号が指定された場合に、前記決済サーバに対して、当該航空券特定番号を含む問い合わせ要求を送信する問い合わせ要求送信手段を備え、前記決済サーバが、前記予約販売情報受付装置から、前記予約販売にかかる航空券の航空券特定番号および当該航空券の予約販売に用いられたカードのカード番号に関する情報を取得する予約販売情報取得手段と、前記予約販売情報取得手段によって取得されたカード番号に対応する一時カード番号を生成する一時カード番号生成手段と、前記一時カード番号生成手段によって生成された一時カード番号と前記予約販売情報取得手段によって取得された航空券特定番号とを関連付けて記憶する一時カード番号記憶手段と、前記発券装置から送信された問い合わせ要求を受信した場合に、前記一時カード番号記憶手段によって記憶された情報の中から、該当する航空券特定番号に関連付けられた一時カード番号を抽出する一時カード番号抽出手段と、前記一時カード番号抽出手段によって抽出された一時カード番号を、前記問い合わせ要求の送信元となる発券装置に対して送信する一時カード番号送信手段と、を備え、前記発券装置が、前記決済サーバから送信された一時カード番号を受信した場合に、当該一時カード番号が記録された航空券を発券する航空券発券手段を備え、前記決済サーバが、前記決済端末からカード番号を含む決済要求を受信した場合に、受信された決済要求に含まれるカード番号に基づいて決済処理をおこない、前記決済端末から一時カード番号を含む決済要求を受信した場合に、前記一時カード番号記憶手段によって記憶された情報の中から、受信された決済要求に含まれる一時カード番号に関連付けられたカード番号を抽出し、抽出されたカード番号に基づいて決済処理をおこなう決済処理手段を備えたことを特徴とする。
【０００７】
また、この発明にかかるカード利用支援システムは、上記の発明において、前記予約販売情報取得手段が、前記予約販売にかかる航空券の有効期間および当該航空券の予約販売に用いられたカードの有効期限に関する情報を取得し、前記決済サーバが、前記予約販売情報取得手段によって取得された情報に基づいて、前記航空券の有効期間が前記カードの有効期限内であるか否かを判断する期限判断手段を備え、前記一時カード番号生成手段が、前記期限判断手段によって有効期限内であると判断された場合に、一時カード番号を生成することを特徴とする。
【０００８】
また、この発明にかかるカード利用支援システムは、上記の発明において、前記決済サーバが、前記決済端末から一時カード番号を含む決済要求を受信した場合に、当該決済要求を受信した日時が前記予約販売情報取得手段によって取得された航空券の有効期間内であるか否かを判断する有効性判断手段を備え、前記決済処理手段が、前記有効性判断手段によって前記有効期間内であると判断された場合に、前記一時カード番号記憶手段によって記憶された情報の中から、受信された決済要求に含まれる一時カード番号に関連付けられたカード番号を抽出し、抽出されたカード番号に基づいて決済処理をおこなうことを特徴とする。
【０００９】
また、この発明にかかるカード利用支援システムは、上記の発明において、前記決済サーバが、前記決済端末から一時カード番号を含む決済要求を受信した場合に、前記一時カード番号送信手段によって当該一時カード番号が送信された後に、当該一時カード番号に対応するカード番号にかかる決済要求を受信したか否かを判断する有効性判断手段を備え、前記決済処理手段が、前記有効性判断手段によって前記一時カード番号に対応するカード番号にかかる決済要求を受信していないと判断された場合に、前記一時カード番号記憶手段によって記憶された情報の中から、受信された決済要求に含まれる一時カード番号に関連付けられたカード番号を抽出し、抽出されたカード番号に基づいて決済処理をおこなうことを特徴とする。
【００１０】
また、この発明にかかるカード利用支援システムは、上記の発明において、前記決済サーバが、前記決済端末から一時カード番号を含む決済要求を受信した場合に、前記一時カード番号送信手段によって当該一時カード番号が送信された後に、当該一時カード番号に対応するカード番号に対応する新たな一時カード番号が送信されたか否かを判断する有効性判断手段を備え、前記決済処理手段が、前記有効性判断手段によって新たな一時カード番号が送信されていないと判断された場合に、前記一時カード番号記憶手段によって記憶された情報の中から、受信された決済要求に含まれる一時カード番号に関連付けられたカード番号を抽出し、抽出されたカード番号に基づいて決済処理をおこなうことを特徴とする。
【００１１】
また、この発明にかかるカード利用支援システムは、上記の発明において、前記決済サーバが、前記決済端末から一時カード番号を含む決済要求を受信した場合に、当該一時カード番号に対応するカード番号のカードの利用者の所在地に関する情報を取得する所在地情報取得手段と、前記所在地情報取得手段によって取得された情報に基づいて、配送先に関する情報を出力する配送先情報出力手段と、を備えたことを特徴とする。
【００１２】
また、この発明にかかるカード利用支援システムは、上記の発明において、前記航空券が、記録媒体が設けられた搭乗券を一体的に備え、前記航空券発券手段は、前記一時カード番号を前記記録媒体に記録させた航空券を発券することを特徴とする。
【００１３】
また、この発明にかかるカード利用支援システムは、上記の発明において、前記発券装置が、前記搭乗券に設けられた記録媒体に記録された情報を取得する搭乗券情報取得手段と、現金の入金を受け付ける入金受付装置によって受け付けられた入金額に関する情報を取得する入金額取得手段と、前記搭乗券情報取得手段および前記入金額取得手段によって取得された情報を、前記決済サーバに対して送信する金額情報送信手段と、を備え、前記決済サーバが、前記発券装置から送信された情報に基づいて、前記入金額を前記カードの利用者の自国の通貨額に基づく所定の金額に換算する換算手段を備え、前記決済処理手段が、前記一時カード番号送信手段によって当該一時カード番号が送信された後に、当該一時カード番号に対応するカード番号にかかる決済要求を受信した場合に、前記換算手段によって換算された金額を差し引いた決済処理をおこなうことを特徴とする。
【００１４】
また、この発明にかかるカード利用支援システムは、上記の発明において、前記発券装置が、前記搭乗券に設けられた記録媒体に記録された情報を取得する搭乗券情報取得手段と、現金の入金を受け付ける入金受付装置によって受け付けられた入金額に関する情報を取得する入金額取得手段と、前記入金額取得手段によって取得された入金額を前記カードの利用者の自国の通貨額に基づく所定の金額に換算する換算手段と、前記換算手段によって換算された金額に関する情報を前記記憶媒体に記憶させる金額情報記憶手段と、を備えたことを特徴とする。
【００１５】
また、この発明にかかるカード利用支援方法は、カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援方法であって、前記発券装置が、問い合わせ要求送信手段を備え、前記問い合わせ要求送信手段が、前記航空券特定番号が指定された場合に、前記決済サーバに対して、当該航空券特定番号を含む問い合わせ要求を送信する問い合わせ要求送信工程を含み、前記決済サーバが、予約販売情報取得手段と、一時カード番号生成手段と、一時カード番号記憶手段と、一時カード番号抽出手段と、一時カード番号送信手段と、を備え、前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、前記一時カード番号生成手段が、前記予約販売情報取得手段によって取得されたカード番号に対応する一時カード番号を生成する一時カード番号生成工程と、前記一時カード番号記憶手段が、前記一時カード番号生成手段によって生成された一時カード番号と前記予約販売情報取得手段によって取得された航空券特定番号とを関連付けて記憶する一時カード番号記憶工程と、前記一時カード番号抽出手段が、前記発券装置から送信された問い合わせ要求を受信した場合に、前記一時カード番号記憶手段によって記憶された情報の中から、該当する航空券特定番号に関連付けられた一時カード番号を抽出する一時カード番号抽出と、前記一時カード番号送信手段が、前記一時カード番号抽出手段によって抽出された一時カード番号を、前記問い合わせ要求の送信元となる発券装置に対して送信する一時カード番号送信工程と、を含み、前記発券装置が、航空券発券手段を備え、前記航空券発券手段が、前記決済サーバから送信された一時カード番号を受信した場合に、当該一時カード番号が記録された航空券を発券する航空券発券工程を含み、前記決済サーバが、決済処理手段を備え、前記決済処理手段が、前記決済端末からカード番号を含む決済要求を受信した場合に、受信された決済要求に含まれるカード番号に基づいて決済処理をおこない、前記決済端末から一時カード番号を含む決済要求を受信した場合に、前記一時カード番号記憶手段によって記憶された情報の中から、受信された決済要求に含まれる一時カード番号に関連付けられたカード番号を抽出し、抽出されたカード番号に基づいて決済処理をおこなう決済処理工程を含んだことを特徴とする。
【００１６】
また、この発明にかかるカード利用支援プログラムは、カード決済をともなう航空券の予約販売を受け付ける予約販売情報受付装置と、前記予約販売情報受付装置において予約販売を受け付けた航空券を特定可能な航空券特定番号に基づいて航空券を発券する発券装置と、店舗の決済端末から決済要求を受信した場合に決済処理をおこなう決済サーバと、がネットワークによって接続されたカード利用支援システムが用いるカード利用支援プログラムであって、前記発券装置が、問い合わせ要求送信手段を備え、前記問い合わせ要求送信手段が、前記航空券特定番号が指定された場合に、前記決済サーバに対して、当該航空券特定番号を含む問い合わせ要求を送信する問い合わせ要求送信工程を前記発券装置に実行させ、前記決済サーバが、予約販売情報取得手段と、一時カード番号生成手段と、一時カード番号記憶手段と、一時カード番号抽出手段と、一時カード番号送信手段と、を備え、前記予約販売情報取得手段が、前記予約販売情報受付装置から、前記予約販売にかかる航空券の航空券特定番号および当該航空券の予約販売に用いられたカードのカード番号に関する情報を取得する予約販売情報取得工程と、前記一時カード番号生成手段が、前記予約販売情報取得手段によって取得されたカード番号に対応する一時カード番号を生成する一時カード番号生成工程と、前記一時カード番号記憶手段が、前記一時カード番号生成手段によって生成された一時カード番号と前記予約販売情報取得手段によって取得された航空券特定番号とを関連付けて記憶する一時カード番号記憶工程と、前記一時カード番号抽出手段が、前記発券装置から送信された問い合わせ要求を受信した場合に、前記一時カード番号記憶手段によって記憶された情報の中から、該当する航空券特定番号に関連付けられた一時カード番号を抽出する一時カード番号抽出工程と、前記一時カード番号送信手段が、前記一時カード番号抽出手段によって抽出された一時カード番号を、前記問い合わせ要求の送信元となる発券装置に対して送信する一時カード番号送信工程と、を前記決済サーバに実行させ、前記発券装置が、航空券発券手段を備え、前記航空券発券手段が、前記決済サーバから送信された一時カード番号を受信した場合に、当該一時カード番号が記録された航空券を発券する航空券発券工程を前記発券装置に実行させ、前記決済サーバが、決済処理手段を備え、前記決済処理手段が、前記決済端末からカード番号を含む決済要求を受信した場合に、受信された決済要求に含まれるカード番号に基づいて決済処理をおこない、前記決済端末から一時カード番号を含む決済要求を受信した場合に、前記一時カード番号記憶手段によって記憶された情報の中から、受信された決済要求に含まれる一時カード番号に関連付けられたカード番号を抽出し、抽出されたカード番号に基づいて決済処理をおこなう決済処理工程を前記決済サーバに実行させることを特徴とする。
【発明の効果】
【００１７】
この発明にかかるカード利用支援システム、カード利用支援方法およびカード利用支援プログラムによれば、利用者に対してカードを用いた決済による高い利便性を提供し、カードの利用促進を図ることができるという効果を奏する。
【図面の簡単な説明】
【００１８】
【図１】この発明にかかる実施の形態のカード利用支援システムのシステム構成を示す説明図である。
【図２−１】この発明にかかる実施の形態のカード利用支援システムにおける、予約販売情報受付装置を実現するコンピュータ装置のハードウエア構成を示すブロック図である。
【図２−２】この発明にかかる実施の形態のカード利用支援システムにおける、発券装置を実現するコンピュータ装置のハードウエア構成を示すブロック図である。
【図３−１】この発明にかかる実施の形態のカード利用支援システムにおける、決済端末のハードウエア構成を示すブロック図（その１）である。
【図３−２】この発明にかかる実施の形態のカード利用支援システムにおける、決済端末のハードウエア構成を示すブロック図（その２）である。
【図４】この発明にかかる実施の形態のカード利用支援システムにおける、決済サーバを実現するコンピュータ装置のハードウエア構成を示すブロック図である。
【図５】この発明にかかる実施の形態のカード利用支援システムにおける、発券装置によって発券される航空券の外観を示す説明図である。
【図６】この発明にかかる実施の形態のカード利用支援システムにおける、決済サーバが備える利用者データベースの一例を示す説明図である。
【図７】この発明にかかる実施の形態のカード利用支援システムにおける、決済サーバが備えるカード利用履歴データベースの一例を示す説明図である。
【図８】この発明にかかる実施の形態のカード利用支援システムにおける、決済サーバが備える一時カード番号データベースの一例を示す説明図である。
【図９】この発明にかかる実施の形態のカード利用支援システムの機能的構成を示すブロック図である。
【図１０−１】この発明にかかる実施の形態のカード利用支援システムにおける、予約販売情報受付装置および発券装置の表示画面例を示す説明図（その１）である。
【図１０−２】この発明にかかる実施の形態のカード利用支援システムにおける、予約販売情報受付装置および発券装置の表示画面例を示す説明図（その２）である。
【図１０−３】この発明にかかる実施の形態のカード利用支援システムにおける、予約販売情報受付装置および発券装置の表示画面例を示す説明図（その３）である。
【図１１】この発明にかかる実施の形態のカード利用支援システムにおける、予約販売情報受付装置の処理手順を示すフローチャートである。
【図１２−１】この発明にかかる実施の形態のカード利用支援システムにおける、発券装置の処理手順を示すフローチャート（その１）である。
【図１２−２】この発明にかかる実施の形態のカード利用支援システムにおける、発券装置の処理手順を示すフローチャート（その２）である。
【図１３−１】この発明にかかる実施の形態のカード利用支援システムにおける、決済サーバの処理手順を示すフローチャート（その１）である。
【図１３−２】この発明にかかる実施の形態のカード利用支援システムにおける、決済サーバの処理手順を示すフローチャート（その２）である。
【図１３−３】この発明にかかる実施の形態のカード利用支援システムにおける、決済サーバの処理手順を示すフローチャート（その３）である。
【図１３−４】この発明にかかる実施の形態のカード利用支援システムにおける、決済サーバの処理手順を示すフローチャート（その４）である。
【発明を実施するための形態】
【００１９】
以下に添付図面を参照して、この発明にかかるカード利用支援システム、カード利用支援方法およびカード利用支援プログラムの好適な実施の形態を詳細に説明する。
【００２０】
（カード利用支援システムのシステム構成）
まず、この発明にかかる実施の形態のカード利用支援システムのシステム構成について説明する。図１は、この発明にかかる実施の形態のカード利用支援システムのシステム構成を示す説明図である。
【００２１】
図１において、この発明にかかる実施の形態のカード利用支援システム１００は、予約販売情報受付装置１１０と、発券装置１２０と、決済端末１３０と、決済サーバ１４０と、を備えて構成されている。予約販売情報受付装置１１０、発券装置１２０、決済端末１３０および決済サーバ１４０は、インターネットなどのネットワーク１０１によって接続されている。
【００２２】
予約販売情報受付装置１１０は、クレジットカードなどのカードを利用した決済（以下「カード決済」という）をともなう航空券の予約販売を受け付ける。予約販売情報受付装置１１０は、たとえば、パーソナルコンピュータなどのコンピュータ装置によって実現することができる。予約販売情報受付装置１１０を実現するコンピュータ装置のハードウエア構成については、説明を後述する（図２−１を参照）。
【００２３】
発券装置１２０は、航空券特定番号に基づいて航空券を発券する。発券装置１２０は、たとえば、パーソナルコンピュータなどのコンピュータ装置によって実現することができる。発券装置１２０を実現するコンピュータ装置のハードウエア構成については、説明を後述する（図２−２を参照）。
【００２４】
航空券特定番号は、予約販売情報受付装置１１０において予約販売を受け付けた航空券を特定可能な番号であって、たとえば、数字およびアルファベットの組合わせによって示される所定桁数の番号によって実現することができる。具体的には、航空券特定番号は、たとえば、予約作成システム（ＣＲＳ：Ｃｏｍｐｕｔｅｒ  Ｒｅｓｅｒｖａｔｉｏｎ  Ｓｙｓｔｅｍ）の予約記録（ＰＮＲ：Ｐａｓｓｅｎｇｅｒ  Ｎａｍｅ  Ｒｅｃｏｒｄ）に割り当てられた固有番号である予約作成システム予約番号によって実現することができる。また、航空券特定番号は、予約作成システム予約番号に代えて、たとえば、航空会社予約番号によって実現してもよい。
【００２５】
予約作成システム予約番号と航空会社予約番号とは、異なる番号であってもよいし、航空会社によっては同じ番号であってもよい。予約販売された航空券に対して予約作成システム予約番号と航空会社予約番号とが存在する場合、航空券特定番号は、予約作成システム予約番号であってもよいし、航空会社予約番号であってもよく、その両方であってもよい。
【００２６】
また、航空券特定番号は、ドキュメントナンバーと称される番号によって実現されるものであってもよい。ドキュメントナンバーは、数字とアルファベットとの組合わせによって実現される６桁の文字列によって実現することができる。航空券特定番号は、航空券に記載されている公知の各種の番号に限らない。この実施の形態において、航空券特定番号は、たとえば、予約販売情報受付装置１１０が航空券の予約販売を受け付けた時点において当該予約販売情報受付装置１１０によって生成された任意の番号によって実現してもよい。
【００２７】
決済端末１３０は、代金と引き換えに商品やサービスを提供する店舗などに設置され、利用者とカード利用支援システム１００とのインターフェースをつかさどり、クレジットカードなどのカードを用いた決済をおこなうカード決済機能を備えている。カード決済を可能とするカードは、たとえば、クレジットカードによって実現することができる。また、カード決済を可能とするカードは、たとえば、デビットカード（キャッシュカード）などによって実現されるものであってもよい。
【００２８】
決済端末１３０は、決済サーバ１４０との間で、ネットワーク１０１を介した通信が可能とされている。決済端末１３０は、決済サーバ１４０と通信をおこなうことによって、カード決済にかかる各種の処理をおこなうことができる。決済端末１３０は、たとえば、ＣＡＦＩＳやＩＮＦＯＸ−ＮＥＴなどの決済用のネットワークを介して、ネットワーク１０１に接続されている。
【００２９】
決済端末１３０は、具体的には、たとえばＣＡＴ（Ｃｒｅｄｉｔ  Ａｕｔｈｏｒｉｚａｔｉｏｎ  Ｔｅｒｍｉｎａｌ）端末などのカードの信用照会端末や、ＩＮＦＯＸ端末などの多機能決済端末などの決済端末１３０によって実現することができる。このような決済端末１３０は、電話回線の他、所定のネットワークを介してネットワーク１０１に接続可能とされている。また、このような決済端末１３０は、ＰＯＳ端末に接続され、あるいはＰＯＳ端末に一体に組み込まれ、ＰＯＳ端末を介してネットワーク１０１に接続されていてもよい。決済端末１３０のハードウエア構成については、説明を後述する（図３−１、図３−２を参照）。
【００３０】
決済サーバ１４０は、決済端末１３０から送信された決済要求に基づいてカード決済をおこなう。決済サーバ１４０は、たとえば、パーソナルコンピュータなどのコンピュータ装置によって実現することができる。決済サーバ１４０を実現するコンピュータ装置のハードウエア構成については、説明を後述する（図４を参照）。決済サーバ１４０は、利用者データベース（図６を参照）、カード利用履歴データベース（図７を参照）、一時カード番号データベース（図８を参照）などの各種のデータベースを備えている。利用者データベース、カード利用履歴データベース、一時カード番号データベースについては説明を後述する。
【００３１】
（予約販売情報受付装置や発券装置を実現するコンピュータ装置のハードウエア構成）
つぎに、この発明にかかる実施の形態のカード利用支援システム１００における、予約販売情報受付装置１１０や発券装置１２０を実現するコンピュータ装置のハードウエア構成について説明する。図２−１は、この発明にかかる実施の形態のカード利用支援システム１００における、予約販売情報受付装置１１０を実現するコンピュータ装置のハードウエア構成を示すブロック図である。図２−２は、この発明にかかる実施の形態のカード利用支援システム１００における、発券装置１２０を実現するコンピュータ装置のハードウエア構成を示すブロック図である。
【００３２】
図２−１および図２−２において、この発明にかかる実施の形態のカード利用支援システム１００における、予約販売情報受付装置１１０や発券装置１２０を実現するコンピュータ装置は、ＣＰＵ２０１と、ＲＯＭ２０２と、ＲＡＭ２０３と、ＨＤＤ（ハードディスクドライブ）２０４と、ＨＤ（ハードディスク）２０５と、ＦＤＤ（フレキシブルディスクドライブ）２０６と、着脱可能な記録媒体の一例としてのＦＤ（フレキシブルディスク）２０７と、ディスプレイ２０８と、操作部２０９と、カードリーダ２１０と、ネットワークＩ／Ｆ２１１と、を備えている。また、この発明にかかる実施の形態のカード利用支援システム１００における、予約販売情報受付装置１１０や発券装置１２０を実現するコンピュータ装置が備える各部２０１〜２１１は、バス２１２によってそれぞれ接続されている。
【００３３】
ＣＰＵ２０１は、予約販売情報受付装置１１０や発券装置１２０を実現するコンピュータ装置全体の制御をつかさどる。ＲＯＭ２０２は、ブートプログラムなどのプログラムを記憶している。ＲＡＭ２０３は、ＣＰＵ２０１のワークエリアとして使用される。ＨＤＤ２０４は、ＣＰＵ２０１の制御にしたがってＨＤ２０５に対するデータのリード／ライトを制御する。ＨＤ２０５は、ＨＤＤ２０４の制御で書き込まれたデータを記憶する。
【００３４】
ＦＤＤ２０６は、ＣＰＵ２０１の制御にしたがってＦＤ２０７に対するデータのリード／ライトを制御する。ＦＤ２０７は、ＦＤＤ２０６の制御で書き込まれたデータを記憶する。ＦＤ２０７に代えてあるいはＦＤ２０７に加えて、ＣＤ−ＲＯＭ（ＣＤ−ＲＷ）、ＭＯ、ＤＶＤ（Ｄｉｇｉｔａｌ  Ｖｅｒｓａｔｉｌｅ  Ｄｉｓｋ）などの各種の記録媒体を、着脱可能な記録媒体として用いてもよい。この場合、この発明にかかる実施の形態のカード利用支援システム１００における、予約販売情報受付装置１１０や発券装置１２０を実現するコンピュータ装置は、各種の記録媒体に対するデータのリード／ライトを制御するドライブを備える。
【００３５】
ディスプレイ２０８は、たとえば液晶パネルを備えた表示装置によって実現することができる。ディスプレイ２０８を実現する液晶パネルは、任意の文字列、数字、記号などを表示することができる。操作部２０９は、利用者による各種の入力操作を受け付ける。
【００３６】
コンピュータ装置が、たとえば、予約販売情報受付装置１１０を実現する場合、操作部２０９は、たとえば、予約販売を受け付けた航空券に関する情報の入力や、当該航空券の予約販売に際しておこなわれるカード決済に関する情報の入力などを受け付ける。コンピュータ装置が、たとえば、発券装置１２０を実現する場合、操作部２０９は、たとえば、予約販売情報受付装置１１０において予約販売が完了している航空券の航空券特定番号の入力や、当該航空券特定番号に基づく航空券の発券指示の入力などを受け付ける。
【００３７】
操作部２０９は、具体的には、たとえば、タッチパネル、キーボード、テンキーなどによって実現することができる。また、操作部２０９は、たとえば、マウスによって実現してもよい。タッチパネル、キーボード、テンキー、マウスなどによって実現される操作部２０９は、当該操作部２０９に対する入力操作に応じた信号を出力する。
【００３８】
カードリーダ２１０は、クレジットカードなどの、カード決済に供されるカードが備えるＩＣチップ（あるいは磁気ストライプ）に記録された情報を読み取り、読み取られた情報をＣＰＵ２０１に対して出力する。カードリーダ２１０については、公知の各種の技術を用いて容易に実現可能であるため説明を省略する。
【００３９】
ネットワークＩ／Ｆ２１１は、インターネットなどのネットワーク１０１に接続され、当該ネットワーク１０１を介して、予約販売情報受付装置１１０、別のコンピュータ装置、決済サーバ１４０などの外部装置に接続される。そして、ネットワークＩ／Ｆ２１１は、ネットワーク１０１と予約販売情報受付装置１１０を実現するコンピュータ装置の内部とのインターフェースをつかさどり、予約販売情報受付装置１１０を実現するコンピュータ装置と外部装置との間におけるデータの入出力を制御する。
【００４０】
図２−２において、この発明にかかる実施の形態のカード利用支援システム１００における、発券装置１２０を実現するコンピュータ装置は、上記の各部２０１〜２１１に加えて、磁気情報記録再生部２１３と、プリンタ２１４と、を備えている。磁気情報記録再生部２１３は、発券装置１２０を実現するコンピュータ装置の所定の位置に挿入された搭乗券を、当該搭乗券に設けられた磁気ストライプに沿って搬送する搬送機構と、当該磁気ストライプに対して情報を記録させたり当該磁気ストライプに記録された情報を再生したり（読み取ったり）する磁気ヘッドと、を備えている。
【００４１】
磁気ヘッドは、電磁石の一種であって、コイルを巻いたドーナツ状の鉄製リングの一箇所にギャップを設けた構造をなす。磁気情報記録再生部は、磁気ヘッドを磁気ストライプに対向させた状態で搬送機構によって搭乗券を所定方向に搬送することにより、当該磁気ストライプに対して情報を記録させたり当該磁気ストライプに記録された情報を再生したり（読み取ったり）する。
【００４２】
磁気ストライプに対して情報を記録させる際には、ＣＰＵ２０１の制御によって磁気ヘッドに信号電流を流す。これにより、信号電流に応じて発生した磁束が、磁気ストライプを構成する磁性粉を磁化し、磁気ストライプに情報を記録させることができる。磁気情報記録再生部は公知の各種の技術を用いて容易に実現可能であり、磁気情報記録再生部についての説明を省略する。
【００４３】
プリンタ２１４は、航空券の用紙に対して、旅客機に搭乗する利用者の氏名、当該利用者が搭乗する区間、当該利用者が搭乗する旅客機の便名、座席等級、運賃金額、航空券の有効期間などを印字する印字処理をおこなう。プリンタ２１４は、レーザプリンタ、インクジェットプリンタ、インパクトドットプリンタなど公知の各種の印字方式のプリンタによって実現することができる。プリンタ２１４は、航空券の用紙を保持する用紙保持機構や、航空券の用紙に対して印字をおこなうプリンタヘッドなどを備えて構成されている。
【００４４】
（決済端末のハードウエア構成）
つぎに、この発明にかかる実施の形態のカード利用支援システム１００における、決済端末１３０のハードウエア構成について説明する。図３−１および図３−２は、この発明にかかる実施の形態のカード利用支援システム１００における、決済端末１３０のハードウエア構成を示すブロック図である。図３−１においては、カード決済に特化した機能を備えた決済端末１３０のハードウエア構成を示している。図３−２においては、カード決済機能を備えたＰＯＳ端末によって実現される決済端末１３０のハードウエア構成を示している。
【００４５】
図３−１において、カード決済に特化した機能を備えた決済端末１３０は、ＣＰＵ３１１と、ＲＯＭ３１２と、ＲＡＭ３１３と、ディスプレイ３１４と、キーボード３１５と、ネットワークＩ／Ｆ３１６と、ブザー３１７と、カードリーダ３１８と、プリンタ３１９と、を備えている。また、決済端末１３０が備える各部３１１〜３１９は、バス３１０によってそれぞれ接続されている。
【００４６】
ＣＰＵ３１１は、決済端末１３０全体の制御をつかさどる。ＲＯＭ３１２は、カード決済に際して実行させる各種のプログラムなどを記憶している。ＲＡＭ３１３は、ＣＰＵ３１１のワークエリアとして使用される。ＣＰＵ３１１は、カード決済に際して、ネットワークＩ／Ｆ３１６を介して決済サーバ１４０との間で通信をおこなう。
【００４７】
キーボード３１５は、カード決済をおこなう店舗の店員などによるカード決済にかかる各種の入力操作を受け付けたり、利用者（カードの利用者）による暗証番号の入力操作を受け付けたりする。キーボード３１５は、入力された情報をＣＰＵ３１１に出力する。ディスプレイ３１４は、たとえば液晶パネルを備えた表示装置によって実現することができる。ディスプレイ３１４を実現する液晶パネルは、定型メッセージ、数字、記号などを表示することができる。また、ディスプレイ３１４を実現する液晶パネルは、７セグメント方式のディスプレイであってもよい。
【００４８】
ブザー３１７は、決済端末１３０においてエラーが発生した場合などに所定のブザー音声を出力する。ブザー３１７としては、たとえば圧電ブザー、電子ブザー、電磁ブザーなど公知の各種のブザーを用いることができる。カードリーダ３１８は、カードを用いた決済において、カードに記録された情報を読み出し、読み出された情報をＣＰＵ３１１に対して出力する。カードは、ＩＣチップを備えたタイプであってもよいし、磁気ストライプを備えたタイプであってもよい。
【００４９】
プリンタ３１９は、伝票用紙に対して決済の内容などを印字する印字処理をおこなう。プリンタ３１９は、たとえば複写が可能な伝票用紙に対する印字が可能なインパクトドットプリンタなどを用いることができる。プリンタ３１９は、インパクトドットプリンタに限るものではなく、サーマルプリンタ、レーザプリンタ、インクジェットプリンタなど公知の各種の印字方式のプリンタによって実現することができる。プリンタ３１９は、伝票用紙を保持する用紙保持機構、伝票用紙に対して印字をおこなうプリンタヘッドなどを備えて構成されている。
【００５０】
図３−２において、カード決済機能を備えたＰＯＳ端末によって実現される決済端末１３０は、ＣＰＵ３２１と、ＲＯＭ３２２と、ＲＡＭ３２３と、ＨＤＤ３２４と、ＨＤ３２５と、ディスプレイ３２６と、タッチパネル３２７と、キーボード３２８と、バーコードスキャナ３２９と、プリンタ３３０と、ドロワ開放装置３３１と、ネットワークＩ／Ｆ３３２と、スピーカー３３３と、カードリーダ３３４と、を備えている。また、決済端末１３０が備える各部３２１〜３３４は、バス３２０によってそれぞれ接続されている。
【００５１】
ＣＰＵ３２１は、カード決済機能を備えたＰＯＳ端末によって実現される決済端末１３０全体の制御をつかさどる。ＲＯＭ３２２は、カード決済時、商品の売り上げ登録時あるいは売り上げの精算時などに実行させる各種のプログラムなどを記憶している。ＲＡＭ３２３は、ＣＰＵ３２１のワークエリアとして使用される。ＣＰＵ３２１は、たとえばカード決済に際して、ネットワークＩ／Ｆ３３２を介して決済サーバ１４０との間で通信をおこなう。
【００５２】
カード決済機能を備えたＰＯＳ端末によって実現される決済端末１３０は、決済サーバ１４０との間で直接通信をおこなうことができる。また、カード決済機能を備えたＰＯＳ端末によって実現される決済端末１３０は、店舗ごとあるいはグループごとに設けられたサーバコンピュータを介して、決済サーバ１４０との間で通信をおこなってもよい。
【００５３】
ＨＤＤ３２４は、ＣＰＵ３２１の制御にしたがって、ＨＤ３２５に対するデータのリード／ライトを制御する。ＨＤＤ３２４は、ＨＤ３２５の制御によって書き込まれたデータを記憶する。具体的には、ＨＤ３２５は、たとえば商品マスタファイルや売り上げファイルなどを記憶している。カード決済機能を備えたＰＯＳ端末によって実現される決済端末１３０における商品マスタファイルや売り上げファイルについては公知であるため説明を省略する。
【００５４】
ディスプレイ３２６は、たとえば液晶パネルを備えた表示装置によって実現することができる。ディスプレイ３２６は、カーソル、アイコン、ツールボックスをはじめ、文書、画像、機能情報などのデータに関するウインドウ（ブラウザ）を表示する。カード決済機能を備えたＰＯＳ端末によって実現される決済端末１３０は、店員側に情報を表示するディスプレイ３２６と、利用者側に情報を表示するディスプレイ３２６とのように、１台あたり複数のディスプレイ３２６を備えていてもよい。
【００５５】
タッチパネル３２７は、ディスプレイ３２６に積層され、操作位置に応じた信号をＣＰＵ３２１に対して出力する。タッチパネル３２７は、たとえば抵抗膜方式や静電容量方式、音響パルス認識方式、超音波表面弾性波方式、赤外遮光方式、画像認識方式など公知の各種の方式のものを用いることができる。キーボード３２８は、文字、数値、各種指示などの入力のためのキーを備え、操作されたキーに応じた信号をＣＰＵ３２１に対して出力する。
【００５６】
バーコードスキャナ３２９は、商品に付されたバーコードや２次元コードなどを光学的に読み取ることが可能な光学式マーク認識装置（ＯＭＲ：Ｏｐｔｉｃａｌ  Ｍａｒｋ  ＲｅｃｏｇｎｉｔｉｏｎもしくはＯｐｔｉｃａｌ  Ｍａｒｋ  Ｒｅａｄｅｒ）によって実現することができる。バーコードスキャナ３２９は、ＬＥＤなどの光源、光源からの光を走査させるポリゴンミラー、読み取り対象物からの反射光を受光するセンサ、センサが受光した光信号をデコードするデコード回路などを備えている。センサとしてＣＣＤイメージセンサを採用することにより、２次元コードを読み取ることが可能になる。デコード回路がデコードしたデータは、ＣＰＵ３２１に出力される。
【００５７】
プリンタ３３０は、ロール紙に対して決済の内容などを印字する印字処理をおこなう。サーマルプリンタ、レーザプリンタ、インクジェットプリンタなど公知の各種の印字方式のプリンタによって実現することができる。プリンタ３３０は、ロール紙を保持するロール紙保持機構、ロール紙に対して印字をおこなうプリンタヘッド、印字済みのロール紙を任意の長さでカットするカッタ機構などを備えて構成されている。
【００５８】
ドロワ開放装置３３１は、カード決済機能を備えたＰＯＳ端末によって実現される決済端末１３０に対して所定の操作がおこなわれた場合に、当該決済端末１３０に接続されたドロワ装置を開放する。ドロワ開放装置３３１は、具体的には、たとえばソレノイドなどによって実現することができ、キーボード３２８における「預／現計」キーの操作に応じてＣＰＵ３２１から出力された開放信号を受信した場合に動作してドロワ装置を解錠する。
【００５９】
スピーカー３３３は、商品をスキャンした場合の『ピッ』という音声やエラーなどの異常発生時の報知音を出力する。スピーカー３３３は、ボイスコイル（図示を省略する）を備えており、ＣＰＵ３２１から出力された音声信号にしたがった電気信号をボイスコイルに印加することによって音声を出力する。カードリーダ３３４は、カードを用いた決済において、カードに記録されたデータを読み出す。カードは、ＩＣチップを備えたタイプであってもよいし、磁気ストライプを備えたタイプであってもよい。
【００６０】
（決済サーバを実現するコンピュータ装置のハードウエア構成）
つぎに、この発明にかかる実施の形態のカード利用支援システム１００における、決済サーバ１４０を実現するコンピュータ装置のハードウエア構成について説明する。図４は、この発明にかかる実施の形態のカード利用支援システム１００における、決済サーバ１４０を実現するコンピュータ装置のハードウエア構成を示すブロック図である。
【００６１】
図４において、コンピュータ装置は、ＣＰＵ４０１と、ＲＯＭ４０２と、ＲＡＭ４０３と、ＨＤＤ４０４と、ＨＤ４０５と、ＦＤＤ４０６と、着脱可能な記録媒体の一例としてのＦＤ４０７と、ネットワークＩ／Ｆ４０８と、を備えている。また、コンピュータ装置が備える各部４０１〜４０８は、バス４０９によってそれぞれ接続されている。
【００６２】
ＣＰＵ４０１は、コンピュータ装置全体の制御をつかさどる。ＲＯＭ４０２は、ブートプログラムなどのプログラムを記憶している。ＲＡＭ４０３は、ＣＰＵ４０１のワークエリアとして使用される。ＨＤＤ４０４は、ＣＰＵ４０１の制御にしたがってＨＤ４０５に対するデータのリード／ライトを制御する。ＨＤ４０５は、ＨＤＤ４０４の制御で書き込まれたデータを記憶する。
【００６３】
ＦＤＤ４０６は、ＣＰＵ４０１の制御にしたがってＦＤ４０７に対するデータのリード／ライトを制御する。ＦＤ４０７は、ＦＤＤ４０６の制御で書き込まれたデータを記憶する。着脱可能な記録媒体として、ＦＤ４０７の他、ＣＤ−ＲＯＭ（ＣＤ−ＲＷ）、ＭＯ、ＤＶＤなどであってもよい。
【００６４】
ネットワークＩ／Ｆ４０８は、通信回線を通じてネットワーク１０１に接続され、ネットワーク１０１を介して利用者端末装置などの外部装置に接続される。そして、ネットワークＩ／Ｆ４０８は、ネットワーク１０１と内部とのインターフェースをつかさどり、コンピュータ装置からのデータの入出力を制御する。
【００６５】
（航空券の外観）
つぎに、この発明にかかる実施の形態のカード利用支援システム１００において、発券装置１２０によって発券される航空券の外観について説明する。図５は、この発明にかかる実施の形態のカード利用支援システム１００における、発券装置１２０によって発券される航空券の外観を示す説明図である。
【００６６】
図５において、航空券（クレジット機能付き航空券）５００は、旅客機に搭乗する際に必要な切符（乗車券）の一種であって、金銭支払い済みの証拠としての機能を実現する。航空券５００は、Ａｉｒ  Ｔｉｃｋｅｔ、Ａｉｒｌｉｎｅ  Ｔｉｃｋｅｔ、Ｐａｓｓｅｎｇｅｒ  Ｔｉｃｋｅｔなどとも称され、航空会社の運送約款に基づいて旅客機の搭乗者に対して発行される。航空券５００には、旅客機に搭乗する利用者の氏名、当該利用者が搭乗する区間、当該利用者が搭乗する旅客機の便名、座席等級、運賃金額、航空券５００の有効期間などが記載される。
【００６７】
この実施の形態において、航空券５００は、切符（乗車券）５１０と搭乗券５２０とが一体化されたＡＴＢ券（Ａｕｔｏｍａｔｅｄ  Ｔｉｃｋｅｔ  ＆  Ｂｏａｒｄｉｎｇ  Ｐａｓｓ）であることが好ましい。搭乗券５２０は、旅客機に搭乗するための通行証としての機能を実現する。搭乗券５２０には、航空券５００に記載されている事項に加えて、座席番号や搭乗ゲート番号などが記載される。搭乗券５２０は、座席番号や搭乗ゲート番号などが記載される面の裏面に、搭乗券５２０が備える記録媒体としての磁気ストライプ５２１を備えている。
【００６８】
磁気ストライプ５２１は、粉末状の磁性体をバインダー（接着剤）などを用いて帯状に塗布または蒸着することによって形成された記録媒体であって、磁化の変化によって情報を記録する。磁気ストライプ５２１に記録された情報は、上記の決済端末１３０が備えるカードリーダ３１８、３３４や、上記の発券装置１２０が備える磁気情報記録再生装置によって読み取ることができる。
【００６９】
磁気ストライプ５２１には、上記の一時カード番号が記録されている。一時カード番号は、カード決済をともなう航空券５００の予約販売を受け付けた場合に、決済サーバ１４０によって生成される。一時カード番号は、航空券５００の予約販売に用いられたカードのカード番号とは異なる番号であって、当該カード番号を特定可能な固有の番号によって実現される。
【００７０】
磁気ストライプ５２１において、一時カード番号は、人間の目に不可視の状態で記録されている。一時カード番号は、磁気ストライプ５２１に記録されているものに限らない。一時カード番号は、カード決済をともなう航空券５００の予約販売を受け付けた際に、利用者によって一時カード番号の生成（発行）が指定された場合に生成されるようにしてもよい。
【００７１】
この実施の形態において、航空券５００は、記録媒体としての磁気ストライプ５２１が設けられた搭乗券５２０と切符（乗車券）５１０とを一体に備えた航空券５００として説明するが、この発明にかかる実施の形態の航空券が備える記録媒体は、磁気ストライプ５２１を備えた航空券５００に限るものではない。この発明にかかる実施の形態の航空券５００は、たとえば、磁気ストライプ５２１に代えてＩＣチップを備えていてもよい。この場合、当該ＩＣチップによって、この発明にかかる実施の形態の航空券が備える記録媒体を実現することができる。
【００７２】
また、一時カード番号は、図５に示した航空券５００のように、人間の目に不可視の状態で記録されているものに限らない。航空券５００において、一時カード番号は、たとえば、航空券５００の券面に印字されることによって、人間の目で判別できる状態で、航空券５００に記録されていてもよい。
【００７３】
（決済サーバが備えるデータベースの一例）
つぎに、決済サーバ１４０が備えるデータベースについて説明する。決済サーバ１４０が備える各種のデータベースは、決済サーバ１４０を実現するコンピュータ装置が備えるＨＤ３２５に設けられている。決済サーバ１４０が備える各種のデータベースは、決済サーバ１４０を実現するコンピュータ装置が備えるＨＤ３２５などの記憶媒体に一体に設けられているものに限らない。決済サーバ１４０が備える各種のデータベースは、決済サーバ１４０を実現するコンピュータ装置とは別体で設けられた記憶媒体や、決済サーバ１４０を実現するコンピュータ装置とは異なるコンピュータ装置が備える記憶媒体に設けられていてもよい。
【００７４】
（利用者データベースの一例）
つぎに、この発明にかかる実施の形態の決済サーバ１４０が備える各種のデータベースのうち、利用者データベースの一例について説明する。図６は、この発明にかかる実施の形態のカード利用支援システム１００における、決済サーバ１４０が備える利用者データベースの一例を示す説明図である。図６において、利用者データベース６００は、利用者の識別情報と、利用者に関する情報と、を関連付けて記憶している。図６に示した利用者データベース６００においては、利用者の識別情報として、カード番号が記憶されている。
【００７５】
カード番号は、カードごとに固有の情報であって、個々のカードを識別可能な情報とされる。具体的には、たとえば、この実施の形態１におけるカードをクレジットカードによって実現する場合、カード番号は、クレジットカードごとに固有のクレジットカード番号とすることができる。クレジットカード番号においては、最初の６桁の銀行識別番号（Ｂａｎｋ  Ｉｄｅｎｔｉｆｉｃａｔｉｏｎ  Ｎｕｍｂｅｒ：ＢＩＮ）によって、クレジットカード会社などのカードの発行事業者を特定することができる。クレジットカード番号は、ＢＩＮを含み、カードの発行事業者によって割り当てられた任意の数列によって構成され、カードごとに固有の情報とされている。
【００７６】
一時カード番号は、たとえば、クレジットカード番号と同じルールにしたがって割り当てられた番号によって実現することができる。一時カード番号は、クレジットカード番号のように数字の羅列によって構成されるものに限るものではなく、航空券５００の予約販売に用いられたカードを識別することができる情報であればよい。具体的には、一時カード番号は、たとえばアルファベットのみを含む所定桁数の情報、あるいは、数字とアルファベットとを含む所定桁数の情報によって実現してもよい。
【００７７】
また、利用者データベース６００は、利用者に関する情報として、たとえば、各カードの有効期限、各カードの利用者の氏名、住所、電話番号、メールアドレス、性別など、カードの利用者あるいはカードに関する各種の情報（以下「カード情報」という）を記憶している。利用者データベース６００は、日本語表記で示された住所に関する情報に加えて、ローマ字表記で示された住所に関する情報を記憶していてもよい。たとえば、利用者の住所が日本国である場合、利用者データベース６００は、利用者の住所が日本国であることを示す「日本」、「日本国」、「ＪＡＰＡＮ」あるいは「ＪＰＮ」などのように、利用者が居住する国に関する情報を含んでいてもよい。
【００７８】
また、利用者データベース６００は、たとえばカードの利用者（カードの所有者＝正カード会員）の年収や、所定期間における利用限度額など、カードの利用者の支払い能力に関する情報を、カード情報として記憶していてもよい。所定期間における利用限度額は、カードの利用者の年収などに基づいて、あらかじめカードの発行元などによって設定される。
【００７９】
所定期間は、前回の締め日の翌日から次回の締め日までの期間であって、たとえば１ヶ月間とすることができる。締め日は、カード会社が加盟店への立替払金額やカードの利用者（利用者）への請求金額を確定するための締め切り日であり、たとえば「毎月１０日」、「毎月２５日」などのように設定されている。具体的には、たとえば締め日が「毎月１０日」である場合、所定期間は、毎月１１日〜翌月の１０日までの期間とされる。所定期間ごとの利用金額は、たとえば、１ヶ月ごとに締め日がある場合、前回の締め日の翌日から次回の締め日までの累積のカード決済の利用金額とされる。
【００８０】
また、利用者データベース６００は、たとえば支払い方法、支払いに利用する金融機関名、支店名、預金種目や口座番号など、支払いに関する情報を、カード情報として記憶していてもよい。具体的には、たとえばリボルビング払いを設定しているカードの利用者（利用者）に関しては、リボルビング払いによる１回あたりの支払い額を、支払いに関する情報として記憶するようにしてもよい。
【００８１】
利用者データベース６００における利用者に関する情報は、たとえば、カードの発行受付時（申し込み時）など、カードが発行される前にカードの利用者（利用者）から取得し、カードの発行元によって利用者データベース６００に登録される。これにより、カード番号が指定された場合は、指定されたカード番号に関連付けられている各種の情報を特定することができる。利用者データベース６００においては、カード番号以外にも、カードの利用者（利用者）の氏名および住所、電話番号、メールアドレスなど、任意の情報が指定されることによって、指定された任意の情報に関連付けられた情報を抽出することができる。
【００８２】
（カード利用履歴データベースの一例）
つぎに、この発明にかかる実施の形態のカード利用支援システム１００における、決済サーバ１４０が備えるカード利用履歴データベースについて説明する。図７は、この発明にかかる実施の形態のカード利用支援システム１００における、決済サーバ１４０が備えるカード利用履歴データベース７００の一例を示す説明図である。
【００８３】
図７において、カード利用履歴データベース７００は、利用者の識別情報ごとに、カード決済に関するカード利用履歴情報を記憶している。利用者の識別情報は、たとえば、カード番号によって実現することができる。カード決済に関するカード利用履歴情報は、カード決済が完了するごとに、カード利用履歴データベース７００に登録される。
【００８４】
カード利用履歴情報は、たとえば、カードの利用日時を特定可能な情報を含んでいる。カードの利用日時を特定可能な情報は、たとえば店舗などに設置された決済端末１３０から送信された決済要求に含まれるカード決済の日時情報（決済端末１３０においてカードを読み取った日時情報）とすることができる。あるいは、カードの利用日時を特定可能な情報は、決済サーバ１４０が備える計時機能によって計時される時刻において、決済端末１３０から送信された決済要求を受信した日時を特定可能な情報であってもよい。
【００８５】
また、カード利用履歴情報は、カードの利用店舗すなわちカード決済をおこなった決済端末１３０の識別情報を含んでいる。決済端末１３０の識別情報は、当該決済端末１３０が設置されている店舗を識別することができるように店舗ごとに異なり、たとえば、カードの発行元となるカード会社などによってあらかじめ設定されている。これにより、決済端末１３０の識別情報によって、カード決済をおこなった店舗を識別（特定）することができる。
【００８６】
この場合、決済端末１３０の識別情報は、たとえば「同一の店舗の支店どうし」などのように、店舗名が同一であっても同一の店舗ではない店舗どうしを識別できるように設定されていてもよい。この場合、カード利用履歴データベース７００においては、店舗名が同じであっても場所が異なる店舗であれば、それぞれを異なる店舗として登録することができる。決済端末１３０の識別情報は、決済端末１３０ごとに異なっていてもよい。また、この場合、決済サーバ１４０においては、決済端末１３０の識別情報と、当該決済端末１３０が設置された店舗の識別情報と、を関連付けて記憶するデータベースが設けられる。
【００８７】
また、カード利用履歴情報は、たとえばカード決済ごとに指定された支払い回数、カード決済ごとの利用金額（カード決済１回あたりの利用金額）、たとえば１ヶ月などの所定期間ごとの累積の利用金額など、各カード決済の内容を特定可能な情報を含んでいてもよい。カード利用履歴データベース７００においては、所定期間ごとの利用金額として、１ヶ月あたりの利用金額が記憶されている。
【００８８】
カード利用履歴データベース７００においては、所定期間ごとの利用金額として、既に満了した所定期間の利用金額と、満了していない所定期間の利用金額と、が記憶されている。満了していない所定期間の利用金額は、未確定であり、所定期間（前月１１日〜翌月１０日まで）が満了した時点で確定する。カード利用履歴データベース７００において、満了していない所定期間の利用金額は、請求予定金額として記憶されている。
【００８９】
カード利用履歴データベース７００において、カード利用履歴情報は、カード決済ごとに記憶されている。具体的には、たとえば、１枚のカードを用いて同日に３回のカード決済をおこなった場合、カード利用履歴データベース７００においては、当該カードのカード番号に関連付けられた３件分のカード利用履歴情報が、１日におけるカード決済に関する情報としてそれぞれ記憶される。
【００９０】
（一時カード番号データベースの一例）
つぎに、この発明にかかる実施の形態の決済サーバ１４０が備える一時カード番号データベースについて説明する。図８は、この発明にかかる実施の形態のカード利用支援システム１００における、決済サーバ１４０が備える一時カード番号データベースの一例を示す説明図である。
【００９１】
図８において、一時カード番号データベース８００は、利用者の識別情報ごとに、航空券特定番号と一時カード番号とを関連付けて記憶している。利用者の識別情報は、たとえば、カード番号によって実現することができる。一時カード番号データベース８００において、一時カード番号には、当該一時カード番号が有効であるか無効であるかを示すフラグが設定されている。
【００９２】
一時カード番号が有効であるか無効であるかを示すフラグは、当該一時カード番号が有効であるか否かの判断がおこなわれるごとに更新される。あるいは、一時カード番号は、当該一時カード番号が有効であるか否かの判断がおこなわれ、判断の前後で有効／無効が切り替わる場合に更新されるものであってもよい。
【００９３】
（カード利用支援システム１００の機能的構成）
つぎに、この発明にかかる実施の形態のカード利用支援システム１００の機能的構成について説明する。図９は、この発明にかかる実施の形態のカード利用支援システム１００の機能的構成を示すブロック図である。図９において、この発明にかかる実施の形態のカード利用支援システム１００の各機能は、予約販売情報受付装置１１０、発券装置１２０、決済サーバ１４０および決済端末１３０が備える各部の機能によって実現することができる。
【００９４】
カード利用支援システム１００において、決済端末１３０は、カード決済にかかる各種の処理の実行に際して、決済サーバ１４０との間で通信をおこない、決済サーバ１４０に対して決済要求を送信する。決済要求は、カード決済に利用されたカードのカード番号、カード決済をおこなった決済端末１３０の識別情報、カード決済の日時情報、カード決済を要求する金額情報、などを含んでいる。
【００９５】
この実施の形態において、決済要求は、カード番号に代えて、一時カード番号を含んでいてもよい。また、この実施の形態において、決済要求における所定の位置には、一時番号を含むか否かを示すフラグが設定されていてもよい。これにより、決済要求を受信した決済サーバ１４０は、受信された決済要求に一時カード番号が含まれるか否かを判断することができる。
【００９６】
また、決済端末１３０は、カード決済にかかる各種の処理の実行に際して、決済サーバ１４０との間で通信をおこない、決済サーバ１４０から送信された決済結果を受信する。決済結果は、たとえば、決済端末１３０から決済サーバ１４０に送信した決済要求に基づいて決済サーバ１４０においておこなわれた決済処理が正常に完了したか否かを案内する情報を含む。
【００９７】
この発明にかかる実施の形態のカード利用支援システム１００における予約販売情報受付装置１１０の各機能は、予約販売情報受付部９１１と、予約販売情報送信部９１２と、によって実現される。この発明にかかる実施の形態のカード利用支援システム１００における予約販売情報受付装置１１０の各機能を実現する予約販売情報受付部９１１および予約販売情報送信部９１２は、予約販売情報受付装置１１０を実現するコンピュータ装置が備える各部によって実現することができる。
【００９８】
予約販売情報受付部９１１は、カード決済をともなう航空券５００の予約販売にかかる各種の情報の入力を受け付ける。具体的には、予約販売情報受付部９１１は、たとえば、予約販売を受け付けた航空券５００の予約番号の入力を受け付ける。利用者が、該当する航空券５００の航空券番号を把握している場合、予約販売情報受付部９１１は、当該航空券番号の入力を受け付けてもよい。あるいは、予約販売情報受付部９１１は、たとえば、旅客機に搭乗する利用者の氏名、当該利用者が搭乗する区間、当該利用者が搭乗する旅客機の便名、座席等級、運賃金額、航空券５００の有効期間など、該当する航空券５００に関する個別情報の入力を受け付けてもよい。
【００９９】
また、具体的には、予約販売情報受付部９１１は、航空券５００の予約販売に際しておこなわれるカード決済に関する情報の入力を受け付ける。予約販売情報受付部９１１は、航空券５００の予約販売に際しておこなわれるカード決済に関する情報として、カード番号、暗証番号などの入力を受け付ける。
【０１００】
予約販売情報送信部９１２は、予約販売情報受付部９１１によって入力を受け付けた各種の情報を含む予約販売情報を、決済サーバ１４０に対して送信する。具体的には、予約販売情報送信部９１２は、たとえば、予約販売にかかる航空券５００の航空券特定番号および当該航空券５００の予約販売に用いられたカードのカード番号および暗証番号に関する情報を含む予約販売情報を、決済サーバ１４０に対して送信する。
【０１０１】
予約販売情報受付部９１１によって入力を受け付けた情報が、たとえば、旅客機に搭乗する利用者の氏名、当該利用者が搭乗する区間、当該利用者が搭乗する旅客機の便名、座席等級、運賃金額、航空券５００の有効期間など、該当する航空券５００に関する個別情報であった場合、予約販売情報送信部９１２は、たとえば、これらの個別情報および当該航空券５００の予約販売に用いられたカードのカード番号および暗証番号に関する情報を含む予約販売情報を、決済サーバ１４０に対して送信する。
【０１０２】
なお、予約販売情報受付装置１１０は、航空券５００の予約販売を受け付ける装置によって実現されるものであってもよい。この場合、予約販売情報受付装置１１０は、予約販売情報受付部９１１によって予約販売を受け付けた航空券５００に関する情報に基づいて、航空券特定番号を取得し、取得された航空券特定情報および当該航空券５００の予約販売に用いられたカードのカード番号および暗証番号に関する情報を含む予約販売情報を、決済サーバ１４０に対して送信する。また、この場合、予約販売情報受付装置１１０は、たとえば、航空券５００の発行元となる航空会社のサーバコンピュータと通信をおこなうことによって、予約販売を受け付けた航空券５００に関する情報に該当する航空券５００の航空券特定番号を取得することができる。
【０１０３】
この発明にかかる実施の形態のカード利用支援システム１００における発券装置１２０の各機能は、航空券特定番号指定受付部９２１と、問い合わせ要求送信部９２２と、一時カード番号受信部９２３と、航空券発券部９２４と、搭乗券情報取得部９２５と、入金額取得部９２６と、金額情報送信部９２７と、換算部９２８と、金額情報記憶部９２９と、によって実現される。この発明にかかる実施の形態のカード利用支援システム１００における発券装置１２０の各機能を実現する航空券特定番号指定受付部９２１、問い合わせ要求送信部９２２、一時カード番号受信部９２３、航空券発券部９２４、搭乗券情報取得部９２５、入金額取得部９２６、金額情報送信部９２７、換算部９２８および金額情報記憶部９２９は、発券装置１２０を実現するコンピュータ装置が備える各部によって実現することができる。
【０１０４】
航空券特定番号指定受付部９２１は、利用者（旅客機の搭乗者）による航空券特定番号の指定を受け付ける。具体的には、航空券特定番号指定受付部９２１は、たとえば、上記の予約販売情報受付装置１１０においてカード決済をともなって予約販売を受け付けた航空券５００の航空券特定番号の入力操作を受け付ける。
【０１０５】
問い合わせ要求送信部９２２は、航空券特定番号指定受付部９２１によって指定を受け付けた航空券特定番号を含む問い合わせ要求を、決済サーバ１４０に対して送信する。問い合わせ要求は、航空券特定番号指定受付部９２１によって指定を受け付けた航空券特定番号に加えて、当該問い合わせ要求の送信元となる発券装置１２０の識別情報を含む。発券装置１２０の識別情報は、たとえば、当該発券装置１２０に設定されたメールアドレスや当該発券装置１２０に割り当てられたＩＰアドレスによって実現することができる。
【０１０６】
一時カード番号受信部９２３は、問い合わせ要求送信部９２２によって決済サーバ１４０に対して問い合わせ要求を送信した結果、決済サーバ１４０から送信された一時カード番号を受信する。一時カード番号受信部９２３は、受信された一時カード番号を、航空券発券部９２４に出力する。
【０１０７】
航空券発券部９２４は、航空券特定番号に基づいて航空券５００を発券する。航空券発券部９２４は、たとえば、当該航空券特定番号によって特定される航空券５００に関する情報（旅客機に搭乗する利用者の氏名、当該利用者が搭乗する区間、当該利用者が搭乗する旅客機の便名、座席等級、運賃金額、航空券５００の有効期間など）が印字された航空券５００を発券する。
【０１０８】
航空券発券部９２４は、一時カード番号受信部９２３によって一時カード番号が受信された場合に、一時カード番号受信部９２３によって受信された一時カード番号を搭乗券５２０の磁気ストライプ５２１に記録させた、搭乗券５２０一体型の航空券（クレジット機能付き航空券）５００を発券する。
【０１０９】
搭乗券情報取得部９２５は、搭乗券５２０に設けられた磁気ストライプ５２１に記録された情報を取得する。搭乗券情報取得部９２５は、たとえば、発券装置１２０における所定の位置に挿入（セット）された航空券５００の磁気ストライプ５２１に記録された情報を、磁気情報記録再生部２１３を用いて再生する（読み取る）ことによって、当該磁気ストライプ５２１に記録された情報を取得する。
【０１１０】
入金額取得部９２６は、現金の入金を受け付ける入金受付装置９００によって受け付けられた入金額に関する情報を取得する。入金受付装置９００は、金銭登録機などと称され、現金（紙幣および硬貨）の入金を受け付け、受け付けた現金（紙幣および硬貨）の種類を判別し、判別された各現金を計数することによって入金額を計数する。入金受付装置９００については、公知の技術であるため説明を省略する。
【０１１１】
入金額取得部９２６は、入金受付装置（金銭登録機）９００と通信をおこなうことによって、入金受付装置９００によって受け付けられた入金額に関する情報を取得する。金額情報送信部９２７は、搭乗券情報取得部９２５によって取得された情報、および、入金額取得部９２６によって取得された情報を、決済サーバ１４０に対して送信する。
【０１１２】
換算部９２８は、入金額取得部９２６によって取得された情報に基づいて、入金受付装置９００によって受け付けられた入金額を、カードの利用者の自国の通貨額に基づく所定の金額（払戻金額）に換算する。換算部９２８は、換算にかかる所定の手数料を差し引いた額を所定の金額（払戻金額）として算出するようにしてもよい。
【０１１３】
金額情報記憶部９２９は、換算部９２８によって換算された金額（払戻金額）に関する情報を、搭乗券５２０が備える磁気ストライプ５２１に記録（記憶）させる。金額情報記憶部９２９は、たとえば、発券装置１２０における所定の位置に挿入（セット）された航空券５００の磁気ストライプ５２１に対して、磁気情報記録再生部２１３を用いて換算部９２８によって換算された金額（払戻金額）に関する情報を記録（記憶）させる。これにより、搭乗券５２０は、一時的に、入金受付装置９００への入金額に基づいて算出された所定の金額がチャージされた換金価値を備える。
【０１１４】
この発明にかかる実施の形態のカード利用支援システム１００における決済サーバ１４０の各機能は、予約販売情報取得部９３１と、期限判断部９３２と、一時カード番号生成部９３３と、記憶部９３４と、問い合わせ要求受信部９３５と、一時カード番号抽出部９３６と、一時カード番号送信部９３７と、決済要求受信部９３８と、有効性判断部９３９と、決済処理部９４０と、決済結果送信部９４１と、所在地情報取得部９４２と、所在地情報送信部９４３と、金額情報受信部９４４と、換算部９４５と、によって実現される。
【０１１５】
この発明にかかる実施の形態のカード利用支援システム１００における決済サーバ１４０の各機能を実現する予約販売情報取得部９３１、期限判断部９３２、一時カード番号生成部９３３、記憶部９３４、問い合わせ要求受信部９３５、一時カード番号抽出部９３６、一時カード番号送信部９３７、決済要求受信部９３８、有効性判断部９３９、決済処理部９４０、決済結果送信部９４１、所在地情報取得部９４２、所在地情報送信部９４３、金額情報受信部９４４および換算部９４５は、決済サーバ１４０を実現するコンピュータ装置が備える各部によって実現することができる。
【０１１６】
予約販売情報取得部９３１は、カード決済をともなう予約販売にかかる航空券５００の航空券特定番号および当該航空券５００の予約販売に用いられたカードのカード番号に関する情報を取得する。予約販売情報取得部９３１は、たとえば、予約販売情報受付装置１１０においてカード決済をともなう航空券５００の予約販売を受け付けた場合に、当該予約販売にかかる航空券５００の航空券特定番号および当該航空券５００の予約販売に用いられたカードのカード番号に関する情報を取得する。
【０１１７】
予約販売情報取得部９３１は、たとえば、予約販売情報受付装置１１０においてカード決済をともなう航空券５００の予約販売を受け付けた場合に当該予約販売情報受付装置１１０から送信された情報を受信することによって、カード決済をともなう予約販売にかかる航空券５００の航空券特定番号および当該航空券５００の予約販売に用いられたカードのカード番号に関する情報を取得する。
【０１１８】
また、予約販売情報取得部９３１は、所定時間ごとに予約販売情報受付装置１１０から送信された情報を受信することによって、カード決済をともなう予約販売にかかる航空券５００の航空券特定番号および当該航空券５００の予約販売に用いられたカードのカード番号に関する該当する情報を取得するようにしてもよい。また、予約販売情報取得部９３１は、所定時間ごとに予約販売情報受付装置１１０との間で通信をおこなうことによって、カード決済をともなう予約販売にかかる航空券５００の航空券特定番号および当該航空券５００の予約販売に用いられたカードのカード番号に関する情報を取得するようにしてもよい。
【０１１９】
また、予約販売情報取得部９３１は、カード決済をともなう予約販売にかかる航空券５００の有効期間に関する情報と、当該航空券５００の予約販売に用いられたカードの有効期限に関する情報と、を取得する。予約販売情報受付装置１１０から送信された予約販売情報が、予約販売にかかる航空券５００の航空券特定番号を含む予約販売情報である場合、予約販売情報取得部９３１は、受信された予約販売情報に含まれる航空券特定番号に基づいて、航空券５００の発行元となる航空会社のサーバコンピュータと通信をおこない、該当する航空券特定番号に対応する航空券５００の有効期間に関する情報を取得する。
【０１２０】
あるいは、予約販売情報受付装置１１０から送信された予約販売情報が、旅客機に搭乗する利用者の氏名、当該利用者が搭乗する区間、当該利用者が搭乗する旅客機の便名、座席等級、運賃金額、航空券５００の有効期間などの個別情報を含む予約販売情報である場合、予約販売情報取得部９３１は、受信された予約販売情報に含まれる航空券５００の有効期間に基づいて、航空券５００の有効期間に関する情報を取得する。航空券５００の有効期間は、たとえば、「○年○月○日〜○年○月×日」のように使用開始日と終了日とを定めることによって決定される。また、航空券５００の有効期間は、たとえば、「使用開始日から△日間」のように決定されるものであってもよい。
【０１２１】
期限判断部９３２は、予約販売情報取得部９３１によって取得された情報に基づいて、航空券５００の有効期間がカードの有効期限内であるか否かを判断する。期限判断部９３２は、たとえば、航空券５００の有効期間における最終日付が、カードの有効期限よりも早い日付であるか否かを判断することにより、航空券５００の有効期間がカードの有効期限内であるか否かを判断する。
【０１２２】
そして、期限判断部９３２は、航空券５００の有効期間における最終日付がカードの有効期限よりも早い日付および同日である場合に航空券５００の有効期間がカードの有効期限内であると判断する。また、期限判断部９３２は、航空券５００の有効期間における最終日付がカードの有効期限よりも遅い日付である場合に航空券５００の有効期間がカードの有効期限内ではないと判断する。
【０１２３】
一時カード番号生成部９３３は、期限判断部９３２によって有効期限内であると判断された場合に、一時カード番号を生成する。一時カード番号生成部９３３によって生成された一時カード番号は、記憶部９３４に設けられた一時カード番号記憶部９３４ａ（一時カード番号データベース８００）に記憶される。一時カード番号記憶部９３４ａは、一時カード番号生成部９３３によって生成された一時カード番号と、予約販売情報取得部９３１によって取得された航空券特定番号と、を関連付けて一時カード番号記憶部９３４ａ（一時カード番号データベース８００）に記憶する。
【０１２４】
記憶部９３４は、一時カード番号記憶部９３４ａ（一時カード番号データベース８００）と、決済関連情報記憶部９３４ｂ（利用者データベース６００、カード利用履歴データベース７００）と、を備えている。決済関連情報記憶部９３４ｂは、カード決済に関する情報を記憶している。カード決済に関する情報は、カード決済が完了するごとに、当該カード決済に用いられたカードのカード番号に関連付けて決済関連情報記憶部９３４ｂに登録される。
【０１２５】
問い合わせ要求受信部９３５は、発券装置１２０から送信された問い合わせ要求を受信する。一時カード番号抽出部９３６は、発券装置１２０から送信された問い合わせ要求を問い合わせ要求受信部９３５によって受信した場合に、記憶部９３４における一時カード番号記憶部９３４ａによって記憶された情報の中から、該当する航空券特定番号に関連付けられた一時カード番号を抽出する。
【０１２６】
一時カード番号送信部９３７は、一時カード番号抽出部９３６によって抽出された一時カード番号を、問い合わせ要求の送信元となる発券装置１２０に対して送信する。一時カード番号送信部９３７は、たとえば、発券装置１２０に設定されたメールアドレスや当該発券装置１２０に割り当てられたＩＰアドレスなどの発券装置１２０の識別情報に基づいて、一時カード番号抽出部９３６によって抽出された一時カード番号を、問い合わせ要求の送信元となる発券装置１２０に対して送信する。
【０１２７】
決済要求受信部９３８は、決済端末１３０から送信された決済要求を受信する。決済要求受信部９３８は、決済端末１３０から送信された、カード番号あるいは一時カード番号を含む決済要求を受信する。決済要求に一時カード番号が含まれるか否かは、決済要求における所定の位置に設定された、一時番号を含むか否かを示すフラグに基づいて判断することができる。
【０１２８】
有効性判断部９３９は、決済端末１３０から一時カード番号を含む決済要求を受信した場合に、たとえば、当該決済要求を受信した日時が予約販売情報取得部９３１によって取得された航空券５００の有効期間内であるか否かを判断する。これにより、決済要求に含まれる一時カード番号が有効であるか否かを判断することができる。この場合、決済要求を受信した日時が予約販売情報取得部９３１によって取得された航空券５００の有効期間を超過していれば、以降、当該一時カード番号を無効とする。有効性判断部９３９は、たとえば、一時カード番号が有効であるか否かの判断を逐次おこない、一時カード番号が有効であるか否かの判断をおこなうごとに一時カード番号データベース８００を更新する。
【０１２９】
また、有効性判断部９３９は、決済端末１３０から一時カード番号を含む決済要求を受信した場合に、たとえば、一時カード番号送信部９３７によって当該一時カード番号が送信された後に、当該一時カード番号に対応するカード番号にかかる決済要求を受信したか否かを判断するものであってもよい。これにより、一時カード番号送信部９３７によって一時カード番号が送信された後、すなわち、クレジット機能付きの航空券５００が発券された後に、当該一時カード番号に対応するカード番号（通常のカード番号）に基づくカード決済がおこなわれたか否かを判断することができる。
【０１３０】
この場合、一時カード番号送信部９３７によって送信された一時カード番号に対応するカード番号にかかる決済要求を受信すると、クレジット機能付きの航空券５００が発券された後に、通常のカードを用いたカード決済がおこなわれたと判断し、当該カードを通常通り利用可能な地域に移動した（帰国した）と判断して、以降、既に発券されたクレジット機能付きの航空券５００に記録された一時カード番号を無効とする。
【０１３１】
また、有効性判断部９３９は、決済端末１３０から一時カード番号を含む決済要求を受信した場合に、たとえば、一時カード番号送信部９３７によって当該一時カード番号が送信された後に、当該一時カード番号に対応するカード番号に対応する新たな一時カード番号が送信されたか否かを判断するものであってもよい。これにより、クレジット機能付きの航空券５００が発券された後に、新たなクレジット機能付きの航空券５００が発券されたか否かを判断することができる。
【０１３２】
この場合、一時カード番号送信部９３７によって一時カード番号が送信された後に、新たな一時カード番号が送信された場合は、クレジット機能付きの航空券５００が発券された後に、新たなクレジット機能付きの航空券５００が発券されたと判断して、以降、先に発券されたクレジット機能付きの航空券５００に記録された一時カード番号を無効とする。
【０１３３】
決済処理部９４０は、決済端末１３０からカード番号を含む決済要求を受信した場合に、受信された決済要求に含まれるカード番号に基づいて決済処理をおこなう。また、決済処理部９４０は、決済端末１３０から一時カード番号を含む決済要求を受信した場合に、一時カード番号記憶部９３４ａによって記憶された情報の中から、受信された決済要求に含まれる一時カード番号に関連付けられたカード番号を抽出し、抽出されたカード番号に基づいて決済処理をおこなう。
【０１３４】
上記の有効性判断部９３９による判断がおこなわれた場合、決済処理部９４０は、有効性判断部９３９による判断結果に基づいて、該当するカード番号に基づいた決済処理をおこなう。たとえば、上記の有効性判断部９３９によって、決済要求を受信した日時が予約販売情報取得部９３１によって取得された航空券５００の有効期間内であるか否かの判断をおこなった場合、決済処理部９４０は、有効性判断部９３９による判断結果に基づいて、決済要求を受信した日時が予約販売情報取得部９３１によって取得された航空券５００の有効期間内である場合に、一時カード番号記憶部９３４ａによって記憶された情報の中から、受信された決済要求に含まれる一時カード番号に関連付けられたカード番号を抽出し、抽出されたカード番号に基づいて決済処理をおこなう。
【０１３５】
また、たとえば、上記の有効性判断部９３９によって、一時カード番号送信部９３７によって送信された一時カード番号に対応するカード番号にかかる決済要求を受信したか否かの判断をおこなった場合、決済処理部９４０は、有効性判断部９３９による判断結果に基づいて、該当するカード番号にかかる決済要求を受信していない場合に、一時カード番号記憶部９３４ａによって記憶された情報の中から、受信された決済要求に含まれる一時カード番号に関連付けられたカード番号を抽出し、抽出されたカード番号に基づいて決済処理をおこなう。
【０１３６】
また、たとえば、上記の有効性判断部９３９によって、一時カード番号が送信された後に新たな一時カード番号が送信されたか否かの判断をおこなった場合、決済処理部９４０は、有効性判断部９３９による判断結果に基づいて、新たな一時カード番号が送信されていないと判断された場合に、一時カード番号記憶部９３４ａによって記憶された情報の中から、受信された決済要求に含まれる一時カード番号に関連付けられたカード番号を抽出し、抽出されたカード番号に基づいて決済処理をおこなう。
【０１３７】
決済結果送信部９４１は、決済処理部９４０によっておこなわれた決済処理の結果に関する情報を、当該決済処理にかかる決済要求の送信元となる決済端末１３０に対して送信する。決済要求の送信元となる決済端末１３０は、当該決済要求に含まれる決済端末１３０の識別情報に基づいて特定することができる。
【０１３８】
所在地情報取得部９４２は、決済要求に含まれるカード番号に基づいて、当該カード番号に関連付けて記憶されている所在地情報を取得する。所在地情報取得部９４２は、たとえば、利用者データベース６００を参照して、決済要求に含まれるカード番号に関連付けて記憶されている住所に関する情報を所在地情報として取得する。所在地情報取得部９４２は、利用者データベース６００に記憶された該当する住所に関する情報のうち、ローマ字表記で示された住所に関する情報を取得するようにしてもよい。
【０１３９】
この実施の形態においては、所在地情報取得部９４２が、利用者データベース６００に記憶されている住所に関する情報を取得する例について説明したが、これに限るものではない。たとえば、利用者データベース６００に、荷物の配送先に関する情報をカード番号に関連付けて記憶しておき、所在地情報取得部９４２が当該荷物の配送先に関する情報を所在地情報として取得するようにしてもよい。
【０１４０】
所在地情報取得部９４２は、利用者データベース６００に記憶された該当する住所に関する情報のうち、ローマ字表記で示された住所に関する情報を取得するようにしてもよい。これによって、海外においてカード決済をおこなった場合にも、利用者あるいは店舗の店員の手を煩わせることなく、配送員に利用者の住所を確実に案内することができる配送伝票を印字出力することができる。
【０１４１】
所在地情報送信部９４３は、所在地情報取得部９４２によって取得された情報を、所定の外部装置に送信する。所定の外部装置は、たとえば、決済要求の送信元となる決済端末１３０が設置された店舗に設置された、配送伝票を印字するプリンタによって実現することができる。このプリンタは、決済サーバ１４０から送信された情報を受信した場合に、受信された情報に基づいた配送伝票を印字出力する。
【０１４２】
金額情報受信部９４４は、発券装置１２０から送信された、搭乗券５２０に設けられた磁気ストライプ５２１に記憶された情報および入金受付装置９００によって受け付けられた入金額に関する情報を受信する。換算部９４５は、金額情報受信部９４４によって受信された情報（発券装置１２０から送信された情報）に基づいて、入金受付装置９００によって受け付けられた入金額を、カードの利用者の自国の通貨額に基づく所定の金額（決済補填額）に換算し、換算された金額（決済補填額）に関する情報を決済処理部９４０に送信する。換算部９４５は、換算にかかる所定の手数料を差し引いた額を所定の金額（決済補填額）として算出するようにしてもよい。
【０１４３】
上述した決済処理部９４０は、一時カード番号送信部９３７によって一時カード番号が送信された後に、当該一時カード番号に対応するカード番号にかかる決済要求を受信した場合に、換算部９４５によって換算された金額を差し引いた決済処理をおこなう。換算部９４５によって所定の手数料が差し引かれた額が算出されている場合、決済処理部９４０は、当該手数料が差し引かれた額を既に支払われた額として決済処理をおこなう。
【０１４４】
（表示画面例）
つぎに、この発明にかかる実施の形態のカード利用支援システム１００における予約販売情報受付装置１１０の表示画面例について説明する。図１０−１、図１０−２および図１０−３は、この発明にかかる実施の形態のカード利用支援システム１００における、予約販売情報受付装置１１０および発券装置１２０の表示画面例を示す説明図である。
【０１４５】
図１０−１、図１０−２および図１０−３において、表示画面１０１０、１０２０、１０３０は、予約販売情報受付装置１１０を実現するコンピュータ装置が備えるディスプレイ２０８に表示される。表示画面１０１０、１０２０は、発券装置１２０を実現するコンピュータ装置が備えるディスプレイ２０８に表示される。表示画面１０１０は、航空券特定番号の入力を受け付ける際に表示され、入力を受け付けた航空券特定番号を確定する「つぎへ」キーや、入力を受け付けた航空券特定番号を取り消す「キャンセル」キーなどを表示する。
【０１４６】
表示画面１０２０は、表示画面１０１０において航空券特定番号が入力された状態で「つぎへ」キーが操作された場合に表示され、カード番号および暗証番号の入力を受け付ける。表示画面１０２０は、表示画面１０１０に戻ることを指示する「戻る」キー、入力を受け付けたカード番号および暗証番号を確定する「確定」キーや、表示画面１０２０や表示画面１０１０において入力を受け付けた情報を取り消す「キャンセル」キーなどを表示する。
【０１４７】
表示画面１０３０は、表示画面１０２０においてカード番号および暗証番号が入力された状態で「確定」キーが操作された場合に表示される。表示画面１０３０は、たとえば、「ご利用ありがとうございました」などのメッセージや、「※後日発行される航空券５００をご確認ください」などのメッセージを表示する。予約販売情報受付装置１１０を実現するコンピュータ装置は、表示画面１０３０を所定時間表示した後、表示画面１０１０の表示に切り替え、航空券特定番号の入力を待機する。
【０１４８】
利用者は、予約販売情報受付装置１１０を実現するコンピュータ装置が備えるディスプレイ２０８に積層されたタッチパネルを操作することによって、「つぎへ」キー、「戻る」キー、「確定」キー、「キャンセル」キー等の各キーを操作することができる。航空券特定番号、カード番号および暗証番号は、予約販売情報受付装置１１０を実現するコンピュータ装置が備える操作部２０９のうち、キーボードやテンキーなどを操作することによって入力することができる。
【０１４９】
（予約販売情報受付装置１１０の処理手順）
つぎに、この発明にかかる実施の形態のカード利用支援システム１００における予約販売情報受付装置１１０の処理手順について説明する。図１１は、この発明にかかる実施の形態のカード利用支援システム１００における、予約販売情報受付装置１１０の処理手順を示すフローチャートである。
【０１５０】
図１１のフローチャートにおいて、まず、航空券特定番号の入力を受け付けたか否かを判断する（ステップＳ１１０１）。ステップＳ１１０１においては、たとえば、航空券５００の予約番号の入力を受け付けたか否かを判断する。ステップＳ１１０１において、航空券特定番号の入力を受け付けていない場合（ステップＳ１１０１：Ｎｏ）は、航空券特定番号の入力を受け付けるまで待機する。
【０１５１】
ステップＳ１１０１において、航空券特定番号の入力を受け付けた場合（ステップＳ１１０１：Ｙｅｓ）は、カード番号および暗証番号の入力を受け付けたか否かを判断する（ステップＳ１１０２）。ステップＳ１１０２において、カード番号および暗証番号の入力を受け付けた場合（ステップＳ１１０２：Ｙｅｓ）は、決済サーバ１４０に対して、ステップＳ１１０１：ＹｅｓおよびステップＳ１１０２：Ｙｅｓにおいて入力を受け付けた情報（航空券特定番号、カード番号および暗証番号）を含む予約販売情報を送信して（ステップＳ１１０３）、一連の処理を終了する。
【０１５２】
ステップＳ１１０２において、カード番号および暗証番号の入力を受け付けていない場合（ステップＳ１１０２：Ｎｏ）は、表示画面１０２０における「キャンセル」キーが操作されたか否かを判断する（ステップＳ１１０４）。ステップＳ１１０４において、表示画面１０２０における「キャンセル」キーが操作されていない場合（ステップＳ１１０４：Ｎｏ）は、ステップＳ１１０２へ戻り、カード番号および暗証番号の入力を待機する。ステップＳ１１０４において、表示画面１０２０における「キャンセル」キーが操作された場合（ステップＳ１１０４：Ｙｅｓ）は、ディスプレイ２０８における表示画面１０２０を表示画面１０１０に切り替えて、一連の処理を終了する。
【０１５３】
（発券装置１２０の処理手順）
つぎに、この発明にかかる実施の形態のカード利用支援システム１００における発券装置１２０の処理手順について説明する。図１２−１および図１２−２は、この発明にかかる実施の形態のカード利用支援システム１００における、発券装置１２０の処理手順を示すフローチャートである。
【０１５４】
図１２−１のフローチャートにおいて、まず、航空券特定番号の入力（指定）を受け付けたか否かを判断する（ステップＳ１２１１）。ステップＳ１２１１においては、たとえば、航空券５００の予約番号の入力を受け付けたか否かを判断する。ステップＳ１２１１において、航空券特定番号の入力（指定）を受け付けていない場合（ステップＳ１２１１：Ｎｏ）は、航空券特定番号の入力（指定）を受け付けるまで待機する。
【０１５５】
ステップＳ１２１１において、航空券特定番号の入力（指定）を受け付けた場合（ステップＳ１２１１：Ｙｅｓ）は、決済サーバ１４０に対して、ステップＳ１２１１：Ｙｅｓにおいて指定を受け付けた航空券特定番号を含む問い合わせ要求を送信する（ステップＳ１２１２）。また、ステップＳ１２１１において、航空券特定番号の入力（指定）を受け付けた場合（ステップＳ１２１１：Ｙｅｓ）は、航空券５００の発行元となる航空会社のサーバコンピュータに対して、航空券情報取得要求を送信する（ステップＳ１２１３）。
【０１５６】
ステップＳ１２１３においては、たとえば、航空券５００の発行元となる航空会社のサーバコンピュータと通信をおこなうことによって、ステップＳ１２１１：Ｙｅｓにおいて入力（指定）を受け付けた航空券特定番号に該当する航空券５００に関する情報の取得要求を送信する。ステップＳ１２１２の処理とステップＳ１２１３の処理とは、実行する順序が逆であってもよい。すなわち、航空券５００の発行元となる航空会社のサーバコンピュータに対して航空券情報取得要求を送信した後に、決済サーバ１４０に対して問い合わせ要求を送信してもよい。
【０１５７】
つぎに、ステップＳ１２１３において送信した航空券情報取得要求に対して航空会社のサーバコンピュータから送信された航空券情報を受信したか否かを判断する（ステップＳ１２１４）。ステップＳ１２１４において、該当する航空券情報を受信した場合（ステップＳ１２１４：Ｙｅｓ）は、ステップＳ１２１２において送信した問い合わせ要求に対して決済サーバ１４０から送信された一時カード番号を受信したか否かを判断する（ステップＳ１２１５）。
【０１５８】
ステップＳ１２１５において、ステップＳ１２１２において送信した問い合わせ要求に対して決済サーバ１４０から送信された一時カード番号を受信した場合（ステップＳ１２１５：Ｙｅｓ）は、クレジット機能付きの航空券５００を発券して（ステップＳ１２１６）、一連の処理を終了する。ステップＳ１２１６においては、通常の航空券５００に要する情報を券面に印刷するとともに、ステップＳ１２１５：Ｙｅｓにおいて受信された一時カード番号を搭乗券５２０に設けられた磁気ストライプ５２１に記録させた、搭乗券５２０一体型の航空券５００を発券する。
【０１５９】
ステップＳ１２１５において、ステップＳ１２１２において送信した問い合わせ要求に対して決済サーバ１４０から送信された一時カード番号を受信していない場合（ステップＳ１２１５：Ｎｏ）は、通常の航空券５００を発券して（ステップＳ１２１７）、一連の処理を終了する。ステップＳ１２１７においては、通常の航空券５００に要する情報を券面に印刷した、搭乗券５２０一体型の航空券５００を発券する。
【０１６０】
ステップＳ１２１４において、該当する航空券情報を受信していない場合（ステップＳ１２１４：Ｎｏ）は、ステップＳ１２１３において航空券情報取得要求を送信してから所定時間が経過したか否かを判断する（ステップＳ１２１８）。ステップＳ１２１８において、ステップＳ１２１３において航空券情報取得要求を送信してから所定時間が経過していない場合（ステップＳ１２１８：Ｎｏ）は、ステップＳ１２１４に戻る。
【０１６１】
ステップＳ１２１８において、ステップＳ１２１３において航空券情報取得要求を送信してから所定時間が経過した場合（ステップＳ１２１８：Ｙｅｓ）は、通信エラーなどのエラーが発生したと判断して、所定のエラー処理をおこなって（ステップＳ１２１９）、一連の処理を終了する。ステップＳ１２１９においては、たとえば、発券装置１２０を実現するコンピュータ装置が備えるディスプレイ２０８に、「通信エラーが発生しました。お手数ですが、もう一度はじめから操作をおこなってください。」などのメッセージを表示して、エラーが発生して発券にかかる処理が中断されたことを案内する。
【０１６２】
図１２−２のフローチャートにおいて、まず、発券装置１２０を実現するコンピュータ装置に対して所定の操作がおこなわれることにより、換金指定操作を受け付けたか否かを判断する（ステップＳ１２２１）。換金指定操作においては、入金受付装置９００によって受け付けられた入金額（払戻金額）を磁気ストライプ５２１に記録（記憶）させるか、以降のカード決済に供する決済補填額とするか、を指定する操作をおこなう。ステップＳ１２２１において、換金指定操作を受け付けていない場合（ステップＳ１２２１：Ｎｏ）は、換金指定操作を受け付けるまで待機する。
【０１６３】
ステップＳ１２２１において、換金指定操作を受け付けた場合（ステップＳ１２２１：Ｙｅｓ）は、搭乗券５２０の情報（搭乗券５２０が備える磁気ストライプ５２１に記録された情報）を取得したか否かを判断する（ステップＳ１２２２）。ステップＳ１２２２において、搭乗券５２０の情報を取得していない場合（ステップＳ１２２２：Ｎｏ）は、当該搭乗券５２０の情報を取得するまで待機する。
【０１６４】
ステップＳ１２２２において、搭乗券５２０の情報を取得した場合（ステップＳ１２２２：Ｙｅｓ）は、入金額の情報（入金受付装置９００によって受け付けられた入金額に関する情報）を取得したか否かを判断する（ステップＳ１２２３）。ステップＳ１２２３において、入金額の情報を取得していない場合（ステップＳ１２２３：Ｎｏ）は、当該入金額の情報を取得するまで待機する。
【０１６５】
ステップＳ１２２３において、入金額の情報を取得した場合（ステップＳ１２２３：Ｙｅｓ）は、ステップＳ１２２１：Ｙｅｓにおいて受け付けた換金指定操作において、入金受付装置９００によって受け付けられた入金額に応じた所定の金額に関する情報を磁気ストライプ５２１に記録させる記録指示があったか否かを判断する（ステップＳ１２２４）。
【０１６６】
ステップＳ１２２４において、記録指示があった場合（ステップＳ１２２４：Ｙｅｓ）は、入金受付装置９００によって受け付けられた入金額を換算した所定の金額（払戻金額）を算出する（ステップＳ１２２５）。そして、ステップＳ１２２５において算出された所定の金額（払戻金額）に関する情報を、搭乗券５２０が備える磁気ストライプ５２１へ記録させて（ステップＳ１２２６）、一連の処理を終了する。
【０１６７】
一方、ステップＳ１２２４において、ステップＳ１２２１：Ｙｅｓにおいて受け付けた換金指定操作において記録指示がない場合（ステップＳ１２２４：Ｎｏ）は、決済サーバ１４０に対して、入金受付装置９００によって受け付けられた入金額に関する情報、および、ステップＳ１２２２：Ｙｅｓにおいて取得された搭乗券５２０の情報から取得される一時カード番号を含む決済補填額情報を送信する（ステップＳ１２２７）。
【０１６８】
（決済サーバ１４０の処理手順）
つぎに、この発明にかかる実施の形態のカード利用支援システム１００における決済サーバ１４０の処理手順について説明する。図１３−１、図１３−２、図１３−３および図１３−４は、この発明にかかる実施の形態のカード利用支援システム１００における、決済サーバ１４０の処理手順を示すフローチャートである。
【０１６９】
図１３−１のフローチャートにおいて、まず、上述した図１１におけるステップＳ１１０３において予約販売情報受付装置１１０から送信された予約販売情報を受信したか否かを判断する（ステップＳ１３１０）。ステップＳ１３１０において、予約販売情報受付装置１１０から送信された予約販売情報を受信していない場合（ステップＳ１３１０：Ｎｏ）は、当該予約販売情報を受信するまで待機する。
【０１７０】
ステップＳ１３１０において、予約販売情報受付装置１１０から送信された予約販売情報を受信した場合（ステップＳ１３１０：Ｙｅｓ）は、受信された予約販売情報に含まれるカード情報に基づいてカード情報を抽出し（ステップＳ１３１１）、抽出された情報に基づいて予約販売情報に含まれる航空券特定番号によって特定される航空券５００の有効期間を特定する（ステップＳ１３１２）。ステップＳ１３１１においては、利用者データベース６００を参照して、ステップＳ１３１０：Ｙｅｓにおいて受信された予約販売情報に含まれるカード番号に関連付けて記憶されている情報を抽出する。
【０１７１】
ステップＳ１３１２においては、たとえば、ステップＳ１３１０：Ｙｅｓにおいて受信された予約販売情報に航空券特定番号が含まれている場合は、当該航空券特定番号によって特定される航空券５００の発行元となる航空会社のサーバコンピュータと通信をおこなうことによって、航空券５００の有効期間に関する情報を取得し、取得された情報に基づいて、航空券５００の有効期間を特定する。
【０１７２】
あるいは、ステップＳ１３１２においては、たとえば、ステップＳ１３１０：Ｙｅｓにおいて受信された予約販売情報に、旅客機に搭乗する利用者の氏名、当該利用者が搭乗する区間、当該利用者が搭乗する旅客機の便名、座席等級、運賃金額、航空券５００の有効期間など、該当する航空券５００に関する個別情報が含まれている場合は、ステップＳ１３１０：Ｙｅｓにおいて受信された予約販売情報の中から航空券５００の有効期間に関する情報を取得し、取得された情報に基づいて、航空券５００の有効期間を特定する。
【０１７３】
つぎに、ステップＳ１３１１において抽出されたカード情報と、ステップＳ１３１２において特定された航空券５００の有効期間に関する情報とに基づいて、航空券５００の有効期間がカードの有効期限内であるか否かを判断する（ステップＳ１３１３）。ステップＳ１３１３においては、たとえば、ステップＳ１３１２において特定された航空券５００の有効期間における最終日付が、ステップＳ１３１１において抽出されたカード情報に基づいて特定されるカードの有効期限よりも早い日付であるか否かを判断する。
【０１７４】
そして、ステップＳ１３１３においては、たとえば、当該航空券５００の有効期間における最終日付が、当該カードの有効期限よりも早い日付あるいは同日である場合に、航空券５００の有効期間がカードの有効期限内であると判断する。また、たとえば、当該航空券５００の有効期間における最終日付が、当該カードの有効期限よりも早い日付である場合に、航空券５００の有効期間がカードの有効期限内であると判断する。
【０１７５】
つぎに、ステップＳ１３１３における判断結果に基づいて、航空券５００の有効期間がカードの有効期限内である場合（ステップＳ１３１３：Ｙｅｓ）は、一時カード番号を生成する（ステップＳ１３１４）。そして、ステップＳ１３１４において生成された一時カード番号を記憶する（ステップＳ１３１５）とともに、ステップＳ１３１０：Ｙｅｓにおいて受信された予約販売情報の送信元となる予約販売情報受付装置１１０に対して、ステップＳ１３１４において生成された一時カード番号を送信して（ステップＳ１３１６）、一連の処理を終了する。
【０１７６】
ステップＳ１３１５においては、ステップＳ１３１４において生成された一時カード番号を一時カード番号データベース８００に記憶する。また、ステップＳ１３１５においては、ステップＳ１３１１において抽出されたカード情報と、ステップＳ１３１２において特定された航空券５００の有効期間に関する情報と、に基づいて、ステップＳ１３１４において生成された一時カード番号の有効期限に関する情報を一時カード番号データベース８００に記憶する。
【０１７７】
ステップＳ１３１５における処理とステップＳ１３１６における処理とは、実行する順序が逆であってもよい。すなわち、ステップＳ１３１０：Ｙｅｓにおいて受信された予約販売情報の送信元となる予約販売情報受付装置１１０に対して、ステップＳ１３１４において生成された一時カード番号を送信した後に、ステップＳ１３１４において生成された一時カード番号を記憶するようにしてもよい。
【０１７８】
一方、ステップＳ１３１３における判断結果に基づいて、航空券５００の有効期間がカードの有効期限内ではない場合（ステップＳ１３１３：Ｎｏ）は、所定のエラー処理を実行して（ステップＳ１３１７）、一連の処理を終了する。ステップＳ１３１７においては、たとえば、ステップＳ１３１０：Ｙｅｓにおいて受信された予約販売情報の送信元となる予約販売情報受付装置１１０に対して、たとえば、「エラーが発生しました。恐れ入りますが、はじめから操作をやり直してください。」などのように、処理が中断したことを案内するメッセージを送信するなどの処理をおこなう。予約販売情報受付装置１１０は、決済サーバ１４０から送信されたメッセージを受信すると、受信されたメッセージを予約販売情報受付装置１１０を実現するコンピュータ装置が備えるディスプレイ２０８に表示するなどして、処理が中断されたことを報知する。
【０１７９】
図１３−２のフローチャートにおいて、まず、上述した図１２−１におけるステップＳ１２１２において発券装置１２０から送信された問い合わせ要求を受信したか否かを判断する（ステップＳ１３２０）。ステップＳ１３２０において、発券装置１２０から送信された問い合わせ要求を受信していない場合（ステップＳ１３２０：Ｎｏ）は、当該問い合わせ要求を受信するまで待機する。
【０１８０】
ステップＳ１３２０において、発券装置１２０から送信された問い合わせ要求を受信した場合（ステップＳ１３２０：Ｙｅｓ）は、受信された問い合わせ要求に含まれる航空券特定番号に対応する一時カード番号を抽出する（ステップＳ１３２１）。ステップＳ１３２１においては、一時カード番号データベース８００を参照して、ステップＳ１３２０：Ｙｅｓにおいて受信された問い合わせ要求に含まれる航空券特定番号に関連付けて記憶されている一時カード番号を抽出する。ステップＳ１３２１においては、受信された問い合わせ要求に含まれる航空券特定番号に関連付けて記憶されている一時カード番号が、一時カード番号データベース８００に記憶されていない場合は、「該当する一時カード番号なし」という結果となる。
【０１８１】
そして、ステップＳ１３２１における抽出処理の結果、ステップＳ１３２０：Ｙｅｓにおいて受信された問い合わせ要求に含まれる航空券特定番号に関連付けて記憶されている一時カード番号が抽出できたか否かを判断する（ステップＳ１３２２）。ステップＳ１３２２において、ステップＳ１３２０：Ｙｅｓにおいて受信された問い合わせ要求に含まれる航空券特定番号に関連付けて記憶されている一時カード番号が抽出できた場合（ステップＳ１３２２：Ｙｅｓ）は、ステップＳ１３２０：Ｙｅｓにおいて受信された問い合わせ要求の送信元となる発券装置１２０に対して、ステップＳ１３２１において抽出された一時カード番号を送信して（ステップＳ１３２３）、一連の処理を終了する。
【０１８２】
ステップＳ１３２２において、ステップＳ１３２０：Ｙｅｓにおいて受信された問い合わせ要求に含まれる航空券特定番号に関連付けて記憶されている一時カード番号が抽出できなかった場合（ステップＳ１３２２：Ｎｏ）は、所定のエラー処理を実行して（ステップＳ１３２４）、一連の処理を終了する。ステップＳ１３２４においては、たとえば、該当する一時カード番号が存在しないことを案内するメッセージを送信するなどの処理をおこなう。発券装置１２０は、決済サーバ１４０から送信されたメッセージを受信すると、受信されたメッセージを発券装置１２０を実現するコンピュータ装置が備えるディスプレイ２０８に表示するなどして、処理が中断されたことを報知する。
【０１８３】
図１３−３のフローチャートにおいて、まず、決済端末１３０から送信された決済要求を受信したか否かを判断する（ステップＳ１３３０）。ステップＳ１３３０において、決済端末１３０から送信された決済要求を受信していない場合（ステップＳ１３３０：Ｎｏ）は、決済端末１３０から送信された決済要求を受信するまで待機する。
【０１８４】
ステップＳ１３３０において、決済端末１３０から送信された決済要求を受信した場合（ステップＳ１３３０：Ｙｅｓ）は、受信された決済要求に一時カード番号が含まれているか否かを判断する（ステップＳ１３３１）。ステップＳ１３３１においては、たとえば、ステップＳ１３３０：Ｙｅｓにおいて受信された決済要求における所定の位置に、一時カード番号を含むか否かを示すフラグが設定されているか否か（フラグが立っているか否か）を判断することによって、当該決済要求に一時カード番号が含まれているか否かを判断する。
【０１８５】
あるいは、一時カード番号がカード番号と同じルールにしたがって生成されている場合、ステップＳ１３３１においては、たとえば、一時カード番号データベース８００を参照して、カード番号を用いておこなう通常のカード決済に供される決済要求においてカード番号が記述されている位置に記述されているカード番号が、一時カード番号データベース８００において一時カード番号として記憶されているか否かを判断することによって、当該決済要求に一時カード番号が含まれているか否かを判断するようにしてもよい。
【０１８６】
ステップＳ１３３１において、ステップＳ１３３０：Ｙｅｓにおいて受信された決済要求に一時カード番号が含まれている場合（ステップＳ１３３１：Ｙｅｓ）は、当該一時カード番号の有効性を判断する（ステップＳ１３３２）。ステップＳ１３３２においては、一時カード番号データベース８００を参照して、一時カード番号の有効性を判断する。具体的には、ステップＳ１３３２においては、たとえば、一時カード番号データベース８００を参照して、ステップＳ１３３０：Ｙｅｓにおいて受信された決済要求に含まれる一時カード番号の有効期限内であるか否かを判断する。
【０１８７】
そして、ステップＳ１３３２における判断結果に基づいて、ステップＳ１３３０：Ｙｅｓにおいて受信された決済要求に含まれる一時カード番号の有効期限内であるか否かを判断する（ステップＳ１３３３）。ステップＳ１３３３においては、たとえば、一時カード番号データベース８００において、該当する一時カード番号のフラグが「有効」である場合に該当する一時カード番号が有効であると判断する。
【０１８８】
ステップＳ１３３２における判断の結果、該当する一時カード番号が有効である場合（ステップＳ１３３３：Ｙｅｓ）は、当該一時カード番号に対応するカード番号を特定する（ステップＳ１３３４）とともに、取得されたカード番号にかかるカード情報を取得する（ステップＳ１３３５）。ステップＳ１３３４においては、一時カード番号データベース８００を参照して、該当する一時カード番号に対応するカード番号を、今回のカード決済にかかるカード番号として特定する。ステップＳ１３３５においては、利用者データベース６００における該当する利用者に関する情報や、カード利用履歴データベース７００におけるカード利用履歴情報を、ステップＳ１３３４において取得されたカード番号にかかるカード情報として取得する。
【０１８９】
ステップＳ１３３１において、ステップＳ１３３０：Ｙｅｓにおいて受信された決済要求に一時カード番号が含まれていない場合（ステップＳ１３３１：Ｎｏ）は、ステップＳ１３３４へ移行する。この場合、ステップＳ１３３４においては、ステップＳ１３３０：Ｙｅｓにおいて受信された決済要求に含まれるカード番号を、今回のカード決済にかかるカード番号として特定する。
【０１９０】
そして、ステップＳ１３３４において特定されたカード番号、および、ステップＳ１３３５において取得されたカード情報に基づいて決済処理を実行する（ステップＳ１３３６）そして、ステップＳ１３３６において実行された決済処理の結果に基づいて一時カード番号データベース８００を更新する（ステップＳ１３３７）。
【０１９１】
ステップＳ１３３７においては、たとえば、クレジット機能付きの航空券５００が発券された後に、当該一時カード番号に対応するカード番号（通常のカード番号）に基づくカード決済がおこなわれた場合に、該当する一時番号のフラグが「有効」から「無効」になるように、一時カード番号データベース８００を更新する。また、ステップＳ１３３７においては、たとえば、クレジット機能付きの航空券５００が発券された後に、新たなクレジット機能付きの航空券５００が発券された場合に、該当する一時番号のフラグが「有効」から「無効」になるように、一時カード番号データベース８００を更新する。
【０１９２】
つぎに、所在地情報を送信するか否かを判断する（ステップＳ１３３８）。所在地情報を送信するか否かは、たとえば、カード決済時に決済端末１３０に対して所定の操作をおこなうことによって指定することができる。所在地情報を送信する指定がなされた場合、決済端末１３０からは、当該指定がなされたことを示す情報を含む決済要求が送信される。
【０１９３】
ステップＳ１３３８において、所在地情報を送信しない場合（ステップＳ１３３８：Ｎｏ）は、ステップＳ１３３０において受信された決済要求の送信元となる決済端末１３０に対して、ステップＳ１３３６においておこなわれた決済処理の結果に関する情報（決済処理結果）を送信して（ステップＳ１３３９）、一連の処理を終了する。決済端末１３０においては、決済サーバ１４０から送信された決済処理の結果に関する情報に基づいて、伝票を印刷するなどの所定の処理をおこなう。カード決済に際して決済端末１３０が実行する処理については、公知の技術であるため説明を省略する。
【０１９４】
一方、ステップＳ１３３８において、所在地情報を送信する場合（ステップＳ１３３８：Ｙｅｓ）は、ステップＳ１３３０において受信された決済要求の送信元となる決済端末１３０に対して、ステップＳ１３３６においておこなわれた決済処理の結果に関する情報（決済処理結果）および該当する所在地情報を送信して（ステップＳ１３４０）、一連の処理を終了する。所在地情報は、ステップＳ１３４０において所在地情報の送信がおこなわれるまでの任意のタイミングで取得されていればよい。
【０１９５】
ステップＳ１３３３において、ステップＳ１３３２における判断の結果、該当する一時カード番号が有効でない場合（ステップＳ１３３３：Ｎｏ）は、ステップＳ１３３７へ移行する。この場合、ステップＳ１３３７においては、たとえば、該当する一時カード番号のフラグが「有効」から「無効」になるように、一時カード番号データベース８００を更新する。また、この場合、ステップＳ１３３９においては、決済処理が実行されなかった（中断された）ことを示す決済処理結果を送信する。
【０１９６】
図１３−４のフローチャートにおいて、まず、発券装置１２０から送信された決済補填額情報を受信したか否かを判断する（ステップＳ１３４１）。ステップＳ１３４１において、発券装置１２０から送信された決済補填額情報を受信していない場合（ステップＳ１３４１：Ｎｏ）は、決済補填額を受信するまで待機する。
【０１９７】
一方、ステップＳ１３４１において、発券装置１２０から送信された決済補填額情報を受信した場合（ステップＳ１３４１：Ｙｅｓ）は、受信された情報に基づいて、入金受付装置９００によって受け付けられた入金額を換算した所定の金額（決済補填額）を算出する（ステップＳ１３４２）。そして、ステップＳ１３４２において算出された所定の金額（決済補填額）に関する情報を、決済サーバ１４０における所定の記憶媒体に記憶して（ステップＳ１３４３）、一連の処理を終了する。
【０１９８】
ステップＳ１３４３においては、ステップＳ１３４２において算出された所定の金額（決済補填額）に関する情報と、ステップＳ１３４１：Ｙｅｓにおいて受信された決済補填額情報に含まれる一時カード番号とを関連付けて記憶する。ステップＳ１３４３の処理によって記憶された情報は、以降、カード決済の支払いの補填に供される。これにより、利用者に対しては、カード決済に基づく支払金額から決済補填額を差し引いた額の請求がおこなわれる。
【０１９９】
（カード利用支援システム１００の利用手順）
つぎに、この発明にかかる実施の形態のカード利用支援システム１００の利用手順について説明する。この発明にかかる実施の形態のカード利用支援システム１００の利用に際しては、まず、利用者が、航空券５００をカード決済によって購入する。
【０２００】
そして、航空券５００を購入した利用者あるいは航空券５００の予約販売を受け付けた販売業者が、予約販売情報受付装置１１０に対する所定の入力操作をおこなうことによって、航空券特定番号とカード番号とを予約販売情報受付装置１１０に入力する。予約販売情報受付装置１１０は、航空券特定番号とカード番号とが入力されると、決済サーバ１４０に対して、入力された航空券特定番号とカード番号とを含む予約販売情報を送信する。決済サーバ１４０は、予約販売情報受付装置１１０から送信された予約販売情報を受信すると、受信された予約販売情報に基づいて一時カード番号を生成する。
【０２０１】
つぎに、利用者は、たとえば、航空券５００の利用開始日に、空港で航空券５００を発券する際に、発券装置１２０に対して所定の入力操作をおこなうことによって、航空券特定番号とカード番号とを発券装置１２０に入力する。発券装置１２０は、航空券特定番号とカード番号とが入力されると、決済サーバ１４０に対して、入力された航空券特定番号とカード番号とを含む問い合わせ要求を送信する。決済サーバ１４０は、発券装置１２０から送信された問い合わせ要求を受信すると、受信された問い合わせ要求に基づいて一時カード番号を抽出し、該当する一時カード番号を問い合わせ要求の送信元となる発券装置１２０に対して送信する。
【０２０２】
また、発券装置１２０は、航空券特定番号とカード番号とが入力されると、航空会社のサーバコンピュータと通信をおこなうことによって、当該サーバコンピュータから、入力された航空券特定番号に該当する航空券５００に関する情報を取得する。そして、発券装置１２０は、決済サーバ１４０から送信された一時カード番号と航空会社のサーバコンピュータから送信された航空券５００に関する情報とに基づいて、一時カード番号が記録された航空券（カード決済機能付き航空券）５００を発券する。
【０２０３】
利用者は、発券された航空券５００を用いて旅客機に搭乗する。搭乗後は、航空券５００に記録された一時カード番号が有効となる間、航空券５００（と一体の搭乗券５２０）を用いて決済をおこなうことができる。航空券５００を用いた決済に際しては、通常の決済と同様に、支払いをおこなう際に航空券５００を提示する（あるいは支払いをおこなう店舗の店員に渡す）。
【０２０４】
支払いをおこなう店舗の店員は、決済端末１３０に対して所定の入力操作をおこなうことによって、航空券５００に記録された一時カード番号および支払金額を入力する。決済端末１３０は、決済サーバ１４０に対して、入力された一時カード番号および支払金額を含む決済要求を送信する。決済サーバ１４０は、決済端末１３０から送信された決済要求に基づいて決済処理を実行し、当該決済処理の結果を該当する決済端末１３０に送信する。
【０２０５】
カード利用支援システム１００の運用上、クレジット機能付きの航空券５００を用いてカード決済をおこなった場合、利用者は、当該カード決済によって購入した商品を、当該利用者によって指定された場所に配送するか否かを選択するようにしてもよい。カード決済によって購入した商品を利用者によって指定された場所に配送する選択がされた場合、決済サーバ１４０は、該当する所在地情報を決済サーバ１４０と通信可能な所定の外部装置や決済端末１３０に送信する。
【０２０６】
所在地情報を受信する外部装置は、たとえば、ディスプレイを備え、当該ディスプレイに受信された所在地情報を表示する。これにより、商品を販売した店舗の店員などが、ディスプレイに表示された所在地情報に基づいて配送伝票を作成し、作成した配送伝票を用いて利用者が購入した商品を当該利用者によって指定された場所に配送することができる。
【０２０７】
あるいは、所在地情報を受信する外部装置は、たとえば、配送伝票に印字をおこなうプリンタを備え、当該プリンタを用いて受信された所在地情報を印字した配送伝票を発行してもよい。これにより、商品を販売した店舗の店員などが、発行された配送伝票を用いて利用者が購入した商品を当該利用者によって指定された場所に配送することができる。
【０２０８】
カード利用支援システム１００においては、往路と復路とのように、複数の航空券５００を発券する必要がある場合、往路用として発券された航空券５００の搭乗券５２０を、つぎの航空券５００（復路用の航空券５００）が利用されるまでカード決済に利用できるようにしてもよい。また、カード利用支援システム１００においては、カード決済によって航空券５００の予約販売をおこなった場合にも、クレジット機能付きの航空券５００が発券されないようにしてもよい。この場合、たとえば、予約販売時点あるいは発券時点において、クレジット機能付き航空券を発券するか否かを利用者に選択させる。
【０２０９】
また、カード利用支援システム１００においては、親が子供の旅行のために航空券５００を購入する場合など、航空券５００の予約販売時にカード決済をおこなった利用者（カードの所有者＝正カード会員）と、予約販売の結果発行された航空券５００の実際の利用者と、が異なっていてもよい。この場合、子供の旅行のために親がカード決済により航空券５００の予約購入をおこなうこととなり、その結果発行される航空券５００は、一時的な子カードとなる。
【０２１０】
また、カード利用支援システム１００においては、利用者が正カード会員であるか否かに応じて、クレジット機能付きの航空券５００の利用限度額を任意に設定できるようにしてもよい。具体的には、たとえば、利用者が正カード会員である場合は、自国でカード決済をおこなう場合の利用限度額よりも高い利用限度額を設定したり、利用者が正カード会員の子供などの家族である場合は、自国でカード決済をおこなう場合の利用限度額よりも高い利用限度額を設定したりすることができる。
【０２１１】
同様に、この場合、利用者が正カード会員であるか否かに応じて、個別の暗証番号を任意に設定できるようにしてもよい。具体的には、たとえば、個別の暗証番号は、正カード会員が利用者である場合は通常の（カード発行時に設定された）暗証番号とし、利用者が正カード会員の子供などの家族である場合は当該家族ごとに任意の暗証番号を設定できるようにしてもよい。
【０２１２】
航空券（クレジット機能付き航空券）５００の有効期間は、上記の例に限らない。航空券（クレジット機能付き航空券）５００の有効期間は、たとえば、当該航空券５００の有効期間に所定の日数を加えた期間としてもよい。これによって、たとえば、海外旅行先から帰国した後自宅に到着するまでの間、航空券（クレジット機能付き航空券）５００を用いてカード決済をおこなうことができる。
【０２１３】
発券装置１２０を、各国の空港に設置することにより、利用者は海外から自国に帰国する際に余っている現地の現金（特に小銭）を空港でチャージすることができる。たとえば、自国＝日本の場合、余っている現金が紙幣であれば帰国後に自国の通貨（たとえば日本円）に両替することができるが、小銭は両替することができない。これに対し、この実施の形態のカード利用支援システム１００によれば、余った現金（特に小銭）を無駄にすることなく、資金を有効に利用することができる。
【０２１４】
チャージに際しては、たとえば正カードの発行元となるカード会社など、カード利用支援システム１００の管理者側が有利になるような変換レートを設定してもよい。具体的には、たとえば１ドル＝１００円のレートであって、９９セント余った場合は、１０円未満は切り捨て９９セント＝９９円→チャージ金額９０円のように変換することができる。
【０２１５】
海外旅行者には、小銭をなくしたいという旅行者意識が存在することがあるため、このような変換レートを設定することにより「多少の損を被っても自国の通貨に戻したい」という利用者と、手数料で収益を得られるカード会社との双方にメリットを提供することができる。
【０２１６】
搭乗券５２０が備える記録媒体（磁気ストライプ５２１やＩＣチップ）にチャージされた金額は、請求金額から差し引いて利用するものに限らない。たとえば、正カードの発行元となるクレジット会社などのポイントとして加算してもよい。また、チャージされた金額をクレジット機能が消失するまで利用しなかった場合に、自動的に、ポイントとして加算するようにしてもよい。
【０２１７】
以上説明したように、この発明にかかる実施の形態のカード利用支援システム１００は、決済サーバ１４０が、予約販売情報受付装置１１０から予約販売情報を取得するごとに、当該予約販売情報に含まれるカード番号に対応する一時カード番号を生成するとともに、生成された一時カード番号を記憶する。決済サーバ１４０は、発券装置１２０において指定された航空券特定番号を含む問い合わせ要求を受信すると、該当する航空券特定番号に関連付けられた一時カード番号を抽出し、抽出された一時カード番号を問い合わせ要求の送信元となる発券装置１２０に対して送信する。発券装置１２０は、決済サーバ１４０から送信された一時カード番号を受信すると、当該一時カード番号が記録された航空券５００を発券する。
【０２１８】
そして、この発明にかかる実施の形態のカード利用支援システム１００は、決済サーバ１４０がカード番号を含む決済要求を受信した場合は受信された決済要求に含まれるカード番号に基づいて決済処理をおこない、決済サーバ１４０が一時カード番号を含む決済要求を受信した場合は当該一時カード番号に関連付けられたカード番号に基づいて決済処理をおこなうことを特徴としている。
【０２１９】
この発明にかかる実施の形態のカード利用支援システム１００によれば、クレジットカードを提示することなく、航空券５００を用いてカード決済をおこなうことができる。
【０２２０】
従来、たとえば、海外の免税店における買い物に際して支払いをカード決済でおこなう場合は、クレジットカードなどのカードに加えて航空券の提示を求められることがあった。このため、利用者は、たとえば、クレジットカードなどのカードと航空券との両方を一緒に持ち歩かなくてはならないという煩わしさや、クレジットカードを紛失するかもしれないという不安、治安の不安定な地域においてクレジットカードを持ち歩くことによる不安などを感じていた。
【０２２１】
これに対し、この発明にかかる実施の形態のカード利用支援システム１００によれば、利用者が、クレジットカードを提示することなく航空券５００を用いてカード決済をおこなうことができるので、当該利用者は、航空券５００を用いて移動した移動先（海外など）におけるカード決済に際して、上記の煩わしさや不安から解消される。これによって、多額の現金を持ち歩くことなく商品やサービスの提供を受けることができたり、小銭を取り扱うなどの煩わしさを解消できたりするという、カード決済が備える高い利便性を十分に享受することができる。
【０２２２】
また、これによって、カード会社は、航空券５００を用いて移動した移動先（海外など）におけるカードの利用促進を図ることができる。また、これによって、店舗は、利用者が現金を持ち合わせていないために逸していた販売機会を獲得することができ、販売促進を図ることができる。
【０２２３】
また、この発明にかかる実施の形態のカード利用支援システム１００によれば、利用者が、航空券５００を用いて搭乗している旅客機内において、クレジットカードを提示することなくカード決済をおこなうことができるので、当該利用者は、旅客機内において荷物から財布を取り出すことなく、カード決済を容易におこなうことができる。これによって、航空会社がこの発明にかかる実施の形態のカード利用支援システム１００を導入し易くなり、カード利用支援システム１００の普及促進を図ることができる。
【０２２４】
また、この発明にかかる実施の形態のカード利用支援システム１００は、予約販売にかかる航空券５００の有効期間および当該航空券５００の予約販売に用いられたカードの有効期限に関する情報に基づいて、航空券５００の有効期間がカードの有効期限内であるか否かを判断し、有効期限内であると判断された場合に、一時カード番号を生成することを特徴としている。
【０２２５】
この発明にかかる実施の形態のカード利用支援システム１００によれば、正カードの有効期限内においてクレジット機能付き航空券を発行することができる。これによって、たとえば、航空券５００の有効期間内にカードの有効期限が到来することがないので、カード会社は、利用者に対してカード決済についての請求を確実におこなうことができる。
【０２２６】
また、この発明にかかる実施の形態のカード利用支援システム１００は、決済サーバ１４０が、決済端末１３０から一時カード番号を含む決済要求を受信するごとに、当該一時カード番号の有効性を判断し、該当する一時カード番号が有効である場合に、当該一時カード番号に関連付けられたカード番号に基づいて決済処理をおこなうことを特徴としている。一時カード番号の有効性は、航空券５００の有効期間、クレジット機能付きの航空券５００の発行後のカードの利用状況、あるいは、クレジット機能付きの航空券５００の発行状況に基づいて判断することができる。
【０２２７】
この発明にかかる実施の形態のカード利用支援システム１００によれば、クレジット機能付き航空券を用いたカード決済をおこなうごとに、当該カード決済にかかる一時カード番号の有効性を確認し、有効である場合のみカード決済をおこなうことができる。これによって、たとえば、悪意の第三者に一時カード番号が流出し、流出した一時カード番号を記録させた不正な航空券が発券（偽造）されて、流出した一時カード番号を用いた不正な決済がおこなわれることを防止することができ、カード決済にかかる高いセキュリティ性を確保することができる。
【０２２８】
また、この発明にかかる実施の形態のカード利用支援システム１００は、決済サーバ１４０が、一時カード番号を含む決済要求を受信するごとに、一時カード番号送信手段によって当該一時カード番号が送信された後に、当該一時カード番号に対応するカード番号にかかる決済要求を受信したか否かを判断し、一時カード番号に対応するカード番号にかかる決済要求を受信していない場合に、受信された決済要求に含まれる一時カード番号に関連付けられたカード番号を抽出し、抽出されたカード番号に基づいて決済処理をおこなうことを特徴としている。
【０２２９】
この発明にかかる実施の形態のカード利用支援システム１００によれば、たとえば、海外から帰国後など、航空券５００の使用後に航空券５００としての機能を失ったクレジット機能付き航空券を入手して、入手した航空券５００に記録されている一時カード番号を用いた不正な決済がおこなわれることを防止することができる。具体的には、たとえば、海外旅行に際してクレジット機能付き航空券を発券し、帰国後に自国において正カードを用いたカード決済がおこなわれると、正カードに対応して発券されたクレジット機能付きの航空券５００のカード決済機能は無効とされ、航空券５００を用いたカード決済は許可されなくなる。これによって、クレジット機能付き航空券が不正に利用されることを防止し、カード決済にかかる高いセキュリティ性を確保することができる。
【０２３０】
また、この発明にかかる実施の形態のカード利用支援システム１００は、決済サーバ１４０が、一時カード番号を含む決済要求を受信するごとに、当該一時カード番号が送信された後に、当該一時カード番号に対応するカード番号に対応する新たな一時カード番号が送信されたか否かを判断し、新たな一時カード番号が送信されていない場合に、受信された決済要求に含まれる一時カード番号に関連付けられたカード番号を抽出し、抽出されたカード番号に基づいて決済処理をおこなうことを特徴としている。
【０２３１】
この発明にかかる実施の形態のカード利用支援システム１００によれば、たとえば、海外における第１の国から第２の国へ移動した場合など、先に発券されたクレジット機能付きの航空券５００の後に新たなクレジット機能付きの航空券５００が発券された場合に、先に発券されたクレジット機能付きの航空券５００を入手して、入手した航空券５００に記録されている一時カード番号を用いた不正な決済がおこなわれることを防止することができる。具体的には、たとえば、複数の国を巡る海外旅行に際して先に発券されたクレジット機能付きの航空券５００を用いて第１の国へ渡航し、その後新たなクレジット機能付きの航空券５００を用いて第１の国から第２の国へ渡航した後は、先に発券されたクレジット機能付きの航空券５００のカード決済機能は無効とされ、先に発券されたクレジット機能付きの航空券５００を用いたカード決済は許可されなくなる。これによって、クレジット機能付き航空券が不正に利用されることを防止し、カード決済にかかる高いセキュリティ性を確保することができる。
【０２３２】
また、この発明にかかる実施の形態のカード利用支援システム１００は、決済サーバ１４０が、決済端末１３０から一時カード番号を含む決済要求を受信するごとに、当該一時カード番号に対応するカード番号のカードの利用者の所在地に関する情報を取得し、取得された情報に基づいて配送先に関する情報を出力することを特徴としている。
【０２３３】
この発明にかかる実施の形態のカード利用支援システム１００によれば、クレジット機能付きの航空券５００を用いた決済により商品を購入した場合、配送先に関する情報が出力されるので、当該配送先に関する情報に基づいて、クレジット機能付きの航空券５００を用いた決済により購入した商品を、利用者の居住場所などへ配送することができる。具体的には、たとえば、免税店で購入した商品を、クレジットカード情報として登録されている利用者の自宅へ配送することができる。これによって、利用者は、購入した商品を持ち歩かなくて済み、渡航先などにおいて買い物をおこないながら、機動力を低下させることなく移動を続けることができる。
【０２３４】
また、この発明にかかる実施の形態のカード利用支援システム１００によれば、上記のような配送サービスを提供することにより、カード会社はカードの利用促進を図ることができ、店舗は販売促進を図ることができる。
【０２３５】
また、この発明にかかる実施の形態のカード利用支援システム１００は、航空券５００が、磁気ストライプ５２１が設けられた搭乗券５２０を一体的に備え、一時カード番号を磁気ストライプ５２１に記録させた航空券５００を発券することを特徴としている。
【０２３６】
この発明にかかる実施の形態のカード利用支援システム１００によれば、一時カード番号を磁気ストライプ５２１に記録させた航空券５００を発券することにより、クレジット機能付きの航空券５００を用いた決済に際して、一時カード番号の入力を容易化することができるので、決済にかかる時間短縮を図るとともに、決済にかかる作業をおこなう作業者（店員など）の作業負担の軽減を図ることができる。
【０２３７】
また、この発明にかかる実施の形態のカード利用支援システム１００によれば、一時カード番号を磁気ストライプ５２１に記録させた航空券５００を発券することにより、一時カード番号を人間の目に不可視の状態で記録させることができるので、悪意の第三者に一時カード番号が流出することを防止できる。これによって、流出した一時カード番号を記録させた不正な航空券が発券（偽造）されて、流出した一時カード番号を用いた不正な決済がおこなわれることを防止することができ、カード決済にかかる高いセキュリティ性を確保することができる。
【０２３８】
また、この発明にかかる実施の形態のカード利用支援システム１００は、発券装置１２０が、搭乗券５２０に設けられた磁気ストライプ５２１に記録された情報を取得するとともに、現金の入金を受け付ける入金受付装置９００によって受け付けられた入金額に関する情報を取得し、取得されたこれらの情報を決済サーバ１４０に対して送信する。そして、決済サーバ１４０が、発券装置１２０から送信された情報に基づいて、入金額をカードの利用者の自国の通貨額に基づく所定の金額に換算し、一時カード番号が送信された後に当該一時カード番号に対応するカード番号にかかる決済要求を受信した場合に、換算された金額を差し引いた決済処理をおこなうことを特徴としている。
【０２３９】
この発明にかかる実施の形態のカード利用支援システム１００によれば、渡航先などにおいて使い切れずに残った現金を有効に利用することができるので、自国に戻ってから利用できない海外の通貨を所有することによる利用者の負担を解消し、利用者の所持金を有効に利用することができる。これによって、海外の通貨が手元に残ることを回避するために、外貨に替えた自国の通貨額が少ないために気に入った商品を購入できなかったり、余ってしまった外貨を無駄にしたりすることを防止することができる。また、これによって、クレジット機能付きの航空券５００の利用者の増加を図り、カードの利用促進を図ることができる。
【０２４０】
また、この発明にかかる実施の形態のカード利用支援システム１００は、発券装置１２０が、搭乗券５２０に設けられた磁気ストライプ５２１に記録された情報を取得するとともに、現金の入金を受け付ける入金受付装置９００によって受け付けられた入金額に関する情報を取得し、取得された入金額をカードの利用者の自国の通貨額に基づく所定の金額に換算する換算し、換算された金額に関する情報を磁気ストライプ５２１に記録させることを特徴としている。
【０２４１】
この発明にかかる実施の形態のカード利用支援システム１００によれば、渡航先などにおいて使い切れずに残った現金を有効に利用することができるので、自国に戻ってから利用できない海外の通貨を所有することによる利用者の負担を解消し、利用者の所持金を有効に利用することができる。これによって、上記のように、換算された金額を差し引いた決済処理をおこなう場合と同様に、たとえば、海外の通貨が手元に残ることを回避するために外貨に替えた自国の通貨額が少ない場合に気に入った商品を購入できなかったり、逆に、外貨に替えた自国の通貨額が多額であった場合に余ってしまった外貨を無駄にしたりする、などを防止することができる。また、これによって、クレジット機能付きの航空券５００の利用者の増加を図り、カードの利用促進を図ることができる。
【産業上の利用可能性】
【０２４２】
以上のように、この発明にかかるカード利用支援システム、カード利用支援方法およびカード利用支援プログラムは、クレジットカードやデビットカードなどの現金以外の手段を用いておこなわれる決済に有用であり、特に、クレジットカードを用いておこなわれるカード決済に適している。
【符号の説明】
【０２４３】
１００  カード利用支援システム
１１０  予約販売情報受付装置
１２０  発券装置
１３０  決済端末
１４０  決済サーバ
９１１  予約販売情報受付部
９１２  予約販売情報送信部
９２１  航空券特定番号指定受付部
９２２  問い合わせ要求送信部
９２３  一時カード番号受信部
９２４  航空券発券部
９２５  搭乗券情報取得部
９２６  入金額取得部
９２７  金額情報送信部
９２８  換算部
９２９  金額情報記憶部
９３１  予約販売情報取得部
９３２  期限判断部
９３３  一時カード番号生成部
９３４  記憶部
９３５  問い合わせ要求受信部
９３６  一時カード番号抽出部
９３７  一時カード番号送信部
９３８  決済要求受信部
９３９  有効性判断部
９４０  決済処理部
９４１  決済結果送信部
９４２  所在地情報取得部
９４３  所在地情報送信部
９４４  金額情報受信部
９４５  換算部
【図１】
0005751827.tif 000002
【図２−１】
0005751827.tif 000003
【図２−２】
0005751827.tif 000004
【図３−１】
0005751827.tif 000005
【図３−２】
0005751827.tif 000006
【図４】
0005751827.tif 000007
【図５】
0005751827.tif 000008
【図６】
0005751827.tif 000009
【図７】
0005751827.tif 000010
【図８】
0005751827.tif 000011
【図９】
0005751827.tif 000012
【図１０−１】
0005751827.tif 000013
【図１０−２】
0005751827.tif 000014
【図１０−３】
0005751827.tif 000015
【図１１】
0005751827.tif 000016
【図１２−１】
0005751827.tif 000017
【図１２−２】
0005751827.tif 000018
【図１３−１】
0005751827.tif 000019
【図１３−２】
0005751827.tif 000020
【図１３−３】
0005751827.tif 000021
【図１３−４】
0005751827.tif 000022